(57)【要約】  本明細書は、１つまたは複数のウェイトを受け入れ可能な複数の離散した取り付け位置を有する調整可能な重み付けシステムを備えるゴルフクラブヘッドの実施形態を記載する。本明細書に記載されたゴルフクラブヘッドは、高い慣性モーメントおよび低後方の重心位置を維持しながら、ボールの飛行を調節するためのクラブヘッドの重心の調節可能性をユーザに提供する。
2020531089.tif 000002
【特許請求の範囲】
【請求項１】
ゴルフクラブヘッドであって、
トウ端部と、前記トウ端部の反対側に位置するヒール端部と、クラウンと、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
概して前記ゴルフクラブヘッドの前記周縁の輪郭に沿った弓形状を有する凹部であって、０．２５インチの最大深さを備える前記凹部と、
前記凹部に配置される複数の離散した取り付け位置と、
１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するために前記複数の離散した取付け位置の間で移動可能であるように構成されており、
前記１つまたは複数のウェイトは、前記ウェイトが少なくとも１つの前記離散した取り付け位置に結合されている状態において、前記クラブヘッドの前記周縁の０．５０インチ以内に配置されており、
前記１つまたは複数のウェイトは、前記ウェイト各々の前記ウェイト重心が前記クラブヘッドの外部輪郭から０．１２５インチ未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【請求項２】
前記複数の離散した取り付け位置は、複数の突出体、複数の凹部、複数の開口、複数のノッチ、複数のタブ、複数の切り欠き領域、複数のリブ、複数の溝、および複数のフックからなる群から選択される、請求項１に記載のゴルフクラブヘッド。
【請求項３】
前記複数の離散した取り付け位置は、締結具を受け入れるように構成される複数のねじ切り開口を備えている、請求項２に記載のゴルフクラブヘッド。
【請求項４】
前記１つまたは複数のウェイトは、１０グラムから２０グラムの第１のウェイトを備える、請求項１に記載のゴルフクラブヘッド。
【請求項５】
前記調整可能な重み付けシステムは、
前記後端部および前記トウ端部に向かって配置されている第１の取り付け位置と、
前記後端部および前記ヒール端部に向かって配置されている第２の取り付け位置と、
中央におよび前記後端部に向かって配置されている第３の取り付け位置と、をさらに備えている、請求項１に記載のゴルフクラブヘッド。
【請求項６】
前記第１のウェイトを前記第１の取り付け位置から前記第２の取り付け位置に移動させることにより、前記クラブヘッドの前記重心が少なくとも０．１０インチの距離だけ移動する、請求項５に記載のゴルフクラブヘッド。
【請求項７】
前記第１のウェイトが、前記第１の取り付け位置、前記第２の取り付け位置、および前記第３の取り付け位置のいずれかに配置されている状態において、前記クラブヘッドの前記重心は、１．６５インチより大きい、請求項６に記載のゴルフクラブヘッド。
【請求項８】
前記第１のウェイトの質量に対する前記結合慣性モーメントの比として定義される深さ質量比をさらに備えており、
前記深さ質量比は、０．０６０インチ／グラムより大きい、請求項１に記載のゴルフクラブヘッド。
【請求項９】
前記凹部は、前記クラブヘッドの前記トウ端部付近から前記ヒール端部付近の方向に延びるチャネルを備えている、請求項１に記載のゴルフクラブヘッド。
【請求項１０】
前記チャネルの深さは、前記クラブヘッドの前記トウ端部付近から前記ヒール端部付近にかけて変化する、請求項９に記載のゴルフクラブヘッド。
【請求項１１】
前記チャネルの幅は、前記クラブヘッドの前記トウ端部付近から前記ヒール端部付近にかけて変化する、請求項９に記載のゴルフクラブヘッド。
【請求項１２】
ゴルフクラブヘッドであって、
トウ端部と、前記トウ端部の反対側に位置するヒール端部と、クラウンと、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
Ｖ字形状に延びており、０．２５インチの最大深さを備える凹部と、
前記凹部に配置される複数の離散した取り付け位置と、
１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するように前記複数の離散した取付け位置の間で移動可能であるように構成されており、
前記１つまたは複数のウェイトは、前記ウェイトが少なくとも１つの前記離散した取り付け位置に結合されている状態において、前記クラブヘッドの前記周縁の０．５０インチ以内に配置されており、
前記１つまたは複数のウェイトは、前記ウェイト各々の前記ウェイト重心が前記クラブヘッドの外部輪郭から０．１２５インチ未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【請求項１３】
前記複数の離散した取り付け位置は、複数の突出体、複数の凹部、複数の開口、複数のノッチ、複数のタブ、複数の切り欠き領域、複数のリブ、複数の溝、および複数のフックからなる群から選択される、請求項１２に記載のゴルフクラブヘッド。
【請求項１４】
前記複数の離散した取り付け位置は、締結具を受け入れるように構成される複数のねじ切り開口を備えている、請求項１３に記載のゴルフクラブヘッド。
【請求項１５】
前記１つまたは複数のウェイトは、１０グラムから２０グラムの第１のウェイトを備える、請求項１２に記載のゴルフクラブヘッド。
【請求項１６】
前記調整可能な重み付けシステムは、
前記後端部付近に配置されている第１の取り付け位置と、
前記ソールの中心に配置されている第２の取り付け位置と、
前記ヒール端部付近に配置されている第３の取り付け位置と、をさらに備えている、請求項１２に記載のゴルフクラブヘッド。
【請求項１７】
前記第１のウェイトを前記第１の取り付け位置から前記第２の取り付け位置に移動させることにより、前記クラブヘッドの前記重心が少なくとも０．１０インチの距離だけ移動する、請求項１６に記載のゴルフクラブヘッド。
【請求項１８】
前記第１のウェイトが前記第１の取り付け位置、前記第２の取り付け位置、および前記第３の取り付け位置のいずれかに配置された状態において、前記クラブヘッドの前記重心は、１．６５インチより大きい、請求項１７に記載のゴルフクラブヘッド。
【請求項１９】
前記第１のウェイトの質量に対する前記結合慣性モーメントの比として定義される深さ質量比をさらに備えており、
前記深さ質量比は、０．０６０インチ／グラムより大きい、請求項１２に記載のゴルフクラブヘッド。
【請求項２０】
前記凹部は、前記クラブヘッドの前記トウ端部付近から前記ヒール端部付近の方向に延びるチャネルを備えている、請求項１２に記載のゴルフクラブヘッド。
【請求項２１】
前記チャネルの深さは、前記クラブヘッドの前記トウ端部付近から前記ヒール端部付近にかけて変化する、請求項２０に記載のゴルフクラブヘッド。
【請求項２２】
前記チャネルの幅は、前記クラブヘッドの前記トウ端部付近から前記ヒール端部付近にかけて変化する、請求項２０に記載のゴルフクラブヘッド。
【請求項２３】
ゴルフクラブヘッドであって、
トウ端部と、前記トウ端部の反対側に位置するヒール端部と、クラウンと、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
長方形形状を有しており、前記トウ端部から前記ヒール端部に延びている凹部であって、０．２５インチの最大深さを備える凹部と、
前記凹部に配置される複数の離散した取り付け位置と、
ケーブルと、
前記ソールの開口内に配置されており、前記ケーブルの張力を増加または減少させるテンショナと、
前記ケーブルに結合される１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するように前記複数の離散した取り付け位置の間で移動可能であるように構成されており、
前記１つまたは複数のウェイトは、前記ウェイト各々の前記ウェイト重心が前記クラブヘッドの外部輪郭から０．１２５インチ未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【請求項２４】
前記トウ端部付近に配置されている第１の取り付け位置と、
前記ヒール端部付近に配置されている第２の取り付け位置と、
前記第１および前記第２の取り付け位置との間に配置されている第３の取り付け位置と、をさらに備えている、請求項２３に記載のゴルフクラブヘッド。
【請求項２５】
前記テンショナは、前記ケーブルを受け入れるノッチを有する締結具を備えている、請求項２３に記載のゴルフクラブヘッド。
【請求項２６】
前記ケーブルは、スチールワイヤロープ、アルミニウムワイヤロープ、銅ワイヤロープ、タングステンワイヤロープ、ニッケルワイヤロープ、ポリマーコーティングされたスチールワイヤ、および銀ワイヤロープからなる群から選択される金属材料を備えている、請求項２３に記載のゴルフクラブヘッド。
【請求項２７】
前記ケーブルは、ベーリングツイン（ｂａｌｉｎｇ  ｔｗｉｎｅ）、パラシュートコード材料、ナイロン、ケブラー、およびポリマーツイードからなる群から選択される非金属材料を備えている、請求項２３に記載のゴルフクラブヘッド。
【請求項２８】
前記１つまたは複数のウェイトは、前記ケーブルを収容するように構成される貫通孔を備えている、請求項２３に記載のゴルフクラブヘッド。
【請求項２９】
前記テンショナは、前記ケーブルが最大張力に達した状態において、前記ソールの外面と面一である、請求項２３に記載のゴルフクラブヘッド。
【発明の詳細な説明】
【技術分野】
【０００１】
（関連出願への相互参照）
本出願は、２０１７年８月１５日出願の米国特許仮出願６２／５４５，７７０号と、２０１８年２月９日出願の米国特許仮出願６２／６２８，８０３号の優先権の利益を主張するものであり、上記出願に開示されるすべての内容は参照によって本明細書に組み込まれる。
【０００２】
本開示はゴルフクラブヘッドに関する。より具体的には、調整可能な重み付けシステムを有するゴルフクラブヘッドに関する。
【背景技術】
【０００３】
ゴルフクラブの様々な特性は、ゴルフクラブの性能に影響を及ぼす可能性がある。例えば、ゴルフクラブヘッドの重心および慣性モーメントは、性能に影響を及ぼし得る特性である。
【発明の概要】
【発明が解決しようとする課題】
【０００４】
ゴルフクラブヘッドの重心および慣性モーメントは、ゴルフクラブヘッドの質量分布に左右される。特に、クラブヘッドの質量をクラブヘッドのソール部により近く、クラブヘッドの打撃フェースにより近く、および／またはクラブヘッドのトウ部およびヒール部により近くなるように分配することにより、クラブヘッドの重心および／または慣性モーメントを変えることができる。クラブヘッドの慣性モーメントを変えることにより、ゴルフクラブの寛容性、ゴルフボールの飛行方向、および／またはゴルフボールの飛行角度を変えることができる。
【０００５】
既存のゴルフクラブヘッドにおける重み付けシステムの多くは、クラブヘッドの慣性モーメントを減少させ、クラブヘッドの重心を上方（クラウンに向かって）および前方（フェースに向かって）に移動させてしまう大きく複雑な内部構造を必要とする。当技術分野では、慣性モーメントまたは重心位置に悪影響を及ぼすことなく、ボールの飛行（軌道および／またはスピン）に影響を及ぼすように、ユーザがクラブヘッドの重み付けおよび重心位置を調整可能であるクラブヘッドが必要とされている。
【図面の簡単な説明】
【０００６】
【図１】ゴルフクラブヘッドの正面斜視図である。
【図２】ｙ軸を示す図１のゴルフクラブヘッドの正面図である。
【図３】ｘ軸およびｚ軸を示す図１のゴルフクラブヘッドの上面図である。
【図４】図１のゴルフクラブヘッドの側断面図である。
【図５】図１のゴルフクラブヘッドの底面図である。
【図６】別のゴルフクラブヘッドの背面斜視図である。
【図７】図６のゴルフクラブヘッドの底面図である。
【図８】図６の別の実施例の底面斜視図である。
【図９】別のゴルフクラブヘッドの背面図である。
【図１０】図９のゴルフクラブヘッドの後部の拡大斜視図である。
【図１１】別のゴルフクラブヘッドの底面斜視図である。
【図１２】図１１のゴルフクラブヘッドの別の底面斜視図である。
【図１３】図１１のゴルフクラブヘッドの開口およびテンショナの断面図である。
【図１４】図１１のゴルフクラブヘッドのテンショナの正面斜視図である。
【図１５】ゴルフクラブヘッドの別の実施形態の底面図である。
【図１６】図１５のゴルフクラブヘッドの底面斜視図である。
【発明を実施するための形態】
【０００７】
調整可能な重み付けシステムを有するゴルフクラブヘッドの様々な実施形態が本明細書に記載される。調整可能な重み付けシステムは、１つまたは複数のウェイトを受け入れることができる複数の離散した取り付け位置を含む。各ウェイトは、クラブヘッド上の離散した取り付け位置のいずれかに結合可能であり、任意の取り付け位置間で移動可能である。したがって、この調整可能な重み付けシステムにより、ユーザがクラブヘッドの重み付けおよび重心位置を調整可能となり、ボールの飛行（すなわち、ボールのスピンまたは軌道）を変更できる。
【０００８】
多くの実施形態では、本明細書に記載される調整可能な重み付けシステムは、クラブヘッドの外部輪郭から突出しているか、またはクラブヘッドの外部輪郭から最小限に差し込まれている。さらに、多くの実施形態では、本明細書に記載される調整可能な重み付けシステムが、クラブヘッドの外縁付近に配置される。調整可能な重み付けシステムをこのように配置することにより、外縁への重み付け、および低後方のウェイト配置を最大化できる。それによって、中心が外れた打撃に対する寛容性に関するクラブヘッドの慣性モーメントを最大にし、クラブヘッドの重心を低後方に配置することができ、打ち出し角を大きくし、バックスピンを低減することができる。したがって、本明細書に記載のゴルフクラブヘッドは、最適な設計および性能特性（高慣性モーメントならびに低後方の重心位置）を維持しながら、ボールの飛行を調節するために、ユーザがクラブヘッドの重心を調節可能である。
【０００９】
本明細書に記載される実施形態の多くは、慣性モーメントおよびヘッド重心位置に悪影響を及ぼす著しい内部構造を必要とすることなく、１つまたは複数のプラットフォーム、レッジ、凹部、またはチャネルを有する調整可能な重み付けシステムを含む。
【００１０】
本明細書および特許請求の範囲において、「第１の」、「第２の」、「第３の」、「第４の」などの用語がある場合、それらは、類似の要素を区別するために使用されるものであり、必ずしも特定の順序または時系列的順序を説明するために使用されるものではない。そのように使用される上記の用語は、適宜入れ替え可能であり、本明細書で説明される実施形態は、例えば、本明細書に説明または図示されたものと異なる順序でも実施可能であることを理解されたい。さらに、「含む」および「有する」という用語、並びにこれらの類義語は、非排他的包含を含めることを意図しており、列挙される要素を含むプロセス、方法、システム、物品、機器または装置は、必ずしもこれらの要素に限定されるわけではなく、明示的に列挙されていない他の要素、またはこのようなプロセス、方法、システム、物品、機器もしくは装置に本来備わっている他の要素を含んでもよい。
【００１１】
明細書および特許請求の範囲において、「左」、「右」、「前」、「後」、「上部」、「底部」、「上」、「下」などという用語がある場合には、それらは、説明目的のために使用されており、必ずしも永続的な相対的位置を説明するためのものではない。そのように使用されている上記の用語は、適宜入れ替え可能であり、本明細書で説明されている装置、方法、および／または物品の実施形態が、例えば、本明細書に図示または説明されている以外の他の配向でも実施可能であるということが理解されるべきである。
【００１２】
「結合する」、「結合される」、「結合」、「結合している」などの用語は、広義に解釈されるべきであり、２つ以上の要素を機械的に、または別の方法で結合することを指す。結合（機械的またはその他の方法によるものであるかに関わらず）は、例えば、永続的、半永続的、または瞬間のみといった任意の期間にわたるものであってよい。
【００１３】
他の特徴および態様は、以下の詳細な説明および添付の図面を考慮することによって、明らかになる。本明細書で開示する実施形態を詳細に説明する前に、本開示の適用は、以下の説明に記載されているような、または図面に図示されているような、コンポーネントの詳細または実施形態および配置に限定されないということが理解されるべきである。本開示は、他の実施形態をサポートすることが可能であり、さまざまに実践または実施され得る。特定の実施形態の説明は、本開示の趣旨および範囲の中に入るすべての変形例、均等物、および代替例をカバーしており、本開示を限定することを意図していないということが理解されるべきである。また、本明細書で使用されている表現法および用語は、説明目的のためのものであり、限定するものとして見なされるべきではないということが理解されるべきである。
【００１４】
説明および理解を容易にするため、ならびに説明のみを目的として、以下の詳細な説明では、ゴルフクラブヘッド１００、１１０１０、１２０１０、１３０１０、および６８１０をウッドとして例示する。当然のことながら、これらのウッドは、本明細書に開示されるような調整可能な重み付けシステムの１つまたは複数の実施形態を例示する目的で提示されていることを理解されたい。しかしながら、本明細書に開示される調整可能な重み付けシステムの実施形態は、調整可能な重み付けが望まれる所望のウッド、アイアン、ハイブリッド、または他のゴルフクラブのいずれにも使用され得る。例えば、クラブヘッドは、ドライバー、フェアウェイウッド、ハイブリッド、１番アイアン、２番アイアン、３番アイアン、４番アイアン、５番アイアン、６番アイアン、７番アイアン、８番アイアン、９番アイアン、ピッチングウェッジ、ギャップウェッジ、ユーティリティウェッジ、サンドウェッジ、ロブウェッジ、および／またはパターを含んでもよいが、これらに限定されない。
【００１５】
図１から図３は、ゴルフクラブヘッド１００を示す。ゴルフクラブヘッド１００は、ヒール（またはヒール端部）２２の反対側に位置するトウ（またはトウ端部）１８を有する本体１４を含む。本体１４はまた、ソール（またはボトム）３０の反対側に位置するクラウン（またはトップ）２６と、クラブフェース（またはフェース、打撃フェース、打撃プレート）３８の反対側に位置するバック（またはリア、後端部）３４と、を含む。クラブヘッドは、ヒール２２付近からトウ１８付近まで延びるクラウン２６とソール３０との間の接合部または交差部に位置する縁（またはスカート、後縁部）２４をさらに含む。クラブヘッド１００は、調整可能な重み付けシステムをさらに含む。調節可能な重み付けシステムの少なくとも一部は、ソール３０、スカート２４、ヒール２２、トウ１８、またはこれらの位置の任意の組み合わせに配置される。
【００１６】
ゴルフクラブヘッド１００はまた、ホーゼル４２を含んでおり、ホーゼル４２は、ホーゼル４２の中心を通って延びるホーゼル軸４６（図２参照）を有する。ホーゼル４２は、グリップ（図示省略）を支持するゴルフクラブシャフト（図示省略）を受け入れるように構成される。ゴルファーは、ゴルフクラブをスイングする際、グリップ（図示省略）を把持する。
【００１７】
多くの実施形態では、ゴルフクラブヘッド１００は、ドライバータイプのクラブヘッドを備える。これらの実施形態では、クラブヘッド１００のロフト角は、約１６°未満、約１５°未満、約１４°未満、約１３°未満、約１２°未満、約１１°未満、または約１０°未満であってよい。さらに、これらの実施形態では、クラブヘッド１００の体積は、約４００ｃｃより大きく、約４２５ｃｃより大きく、約４５０ｃｃより大きく、約４７５ｃｃより大きく、約５００ｃｃより大きく、約５２５ｃｃより大きく、約５５０ｃｃより大きく、約５７５ｃｃより大きく、約６００ｃｃより大きく、約６２５ｃｃより大きく、約６５０ｃｃより大きく、約６７５ｃｃより大きく、または約７００ｃｃより大きくてよい。いくつかの実施形態では、クラブヘッドの体積は、約４００から６００ｃｃ、約５００から６００ｃｃ、約５００から６５０ｃｃ、約５５０から７００ｃｃ、約６００から６５０ｃｃ、約６００から７００ｃｃ、または約６００から８００ｃｃであってよい。
【００１８】
いくつかの実施形態では、クラブヘッドは、フェアウェイウッドタイプのクラブヘッドを備えてよい。これらの実施形態では、クラブヘッド１００のロフト角は、約３５°未満、約３４°未満、約３３°未満、約３２°未満、約３１°未満、または約３０°未満であってよい。さらに、これらの実施形態では、クラブヘッド１００のロフト角は、約１２°より大きく、約１３°より大きく、約１４°より大きく、約１５°より大きく、約１６°より大きく、約１７°より大きく、約１８°より大きく、約１９°より大きく、または約２０°より大きくてよい。さらに、これらの実施形態では、クラブヘッド１００の体積は、約４００ｃｃ未満、約３７５ｃｃ未満、約３５０ｃｃ未満、約３２５ｃｃ未満、約３００ｃｃ未満、約２７５ｃｃ未満、約２５０ｃｃ未満、約２２５ｃｃ未満、または約２００ｃｃ未満であってよい。例えば、クラブヘッドの体積は、約３００から４００ｃｃ、約３２５から４００ｃｃ、約３５０から４００ｃｃ、約２５０から４００ｃｃ、約２５０から３５０ｃｃ、または約２７５から３７５ｃｃであってよい。
【００１９】
いくつかの実施形態では、クラブヘッドは、ハイブリッドタイプのクラブヘッドを備えてよい。これらの実施形態では、クラブヘッド１００のロフト角は、約４０°未満、約３９°未満、約３８°未満、約３７°未満、約３６°未満、約３５°未満、約３４°未満、約３３°未満、約３２°未満、約３１°未満、または約３０°未満であってよい。さらに、これらの実施形態では、クラブヘッド１００のロフト角は、約１６°より大きく、約１７°より大きく、約１８°より大きく、約１９°より大きく、約２０°より大きく、約２１°より大きく、約２２°より大きく、約２３°より大きく、約２４°より大きく、または約２５°より大きくてよい。さらに、これらの実施形態では、クラブヘッド１００の体積は、約２００ｃｃ未満、約１７５ｃｃ未満、約１５０ｃｃ未満、約１２５ｃｃ未満、約１００ｃｃ未満、または約７５ｃｃ未満であってよい。例えば、クラブヘッドの体積は、約１００から１５０ｃｃ、約７５から１５０ｃｃ、約１００から１２５ｃｃ、または約７５から１２５ｃｃであってよい。他の実施形態では、ゴルフクラブヘッド１００は、任意のタイプのゴルフクラブヘッドを備えてよい。
【００２０】
複数の溝（または主溝）４０（図２参照）が、クラブフェース３８上に配置されている。クラブヘッド１００の打撃フェース３８は、幾何学的中心１４０を画定する。いくつかの実施形態では、幾何学的中心１４０は、打撃フェースの周縁の幾何学的中心点、かつフェース高さの中間点に位置してよい。同一または他の例では、幾何学的中心１４０は、打撃フェース上の溝の領域によって画定され得る設計インパクトゾーンの中心に置かれてもよい。別のアプローチとして、打撃フェースの幾何学的中心は、米国ゴルフ協会（ＵＳＧＡ）のようなゴルフ運営組織の定義に従って配置されてよい。例えば、打撃フェース３８の幾何学的中心１４０は、ＵＳＧＡによるゴルフクラブヘッドの可撓性を測定するための手順（ＵＳＧＡ−ＴＰＸ３００４、Ｒｅｖ．１．０．０、２００８年５月１日）（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｐｒｏｃｅｄｕｒｅ−Ｆｏｒ−Ｍｅａｓｕｒｉｎｇ−Ｔｈｅ−Ｆｌｅｘｉｂｉｌｉｔｙ−Ｏｆ−Ａ−Ｇｏｌｆ−Ｃｌｕｂ−Ｈｅａｄ／）（「可撓性手順」）の６．１節に従って決定されてよい。
【００２１】
クラブヘッド１００は、打撃フェース３８の幾何学的中心１４０に接するロフト平面１０１０２を画定する。クラブヘッド１００は、打撃フェース３８の幾何学的中心１４０に位置する原点を有する座標系をさらに画定する。この座標系は、ｘ軸１０１０６、ｙ軸１０１０４、およびｚ軸１０１０８を有する。ｘ軸１０１０６は、打撃フェース３８の幾何学的中心１４０を通って、クラブヘッド１００のヒール２２からトウ１８の方向に延びる。ｙ軸１０１０４は、打撃フェース３８の幾何学的中心１４０を通って、クラブヘッド１００のクラウン２６からソール３０の方向に延び、ｘ軸１０１０６に垂直である。ｚ軸１０１０８は、打撃フェース３８の幾何学的中心１４０を通って、クラブヘッド１００のフェース３８から後端部３４の方向に延び、ｘ軸１０１０６およびｙ軸１０１０４に垂直である。
【００２２】
座標系は、ｘ軸１０１０６およびｙ軸１０１０４の間を延びるｘｙ平面１０１２４と、ｘ軸１０１０６およびｚ軸１０１０８の間を延びるｘｚ平面１０１２６と、ｙ軸１０１０４およびｚ軸１０１０８の間を延びるｙｚ平面１０１２８と、を画定し、ｘｙ平面１０１２４、ｘｚ平面１０１２６、およびｙｚ平面１０１２８はそれぞれ、互いに垂直であり、打撃フェース３８の幾何学的中心１４０に位置する座標系の原点で交差する。ｘｙ平面１０１２４は、ホーゼル軸４６に平行に延び、ロフト平面１０１０２からのクラブヘッド１００のロフト角に対応する角度で配置される。さらに、ｘｙ平面１０１２４に垂直な方向から見たとき、ｘ軸１０１０６は、ホーゼル軸４６に対して６０度の角度で配置される。
【００２３】
上述のまたは他の実施形態では、打撃フェース３８をｘｙ平面１０１２４に垂直な方向から見ると、クラブヘッド１００を正面図（図２）で見ることができる。さらに、上述のまたは他の実施形態では、ヒール２２をｙｚ平面１０１２８に垂直な方向から見ると、クラブヘッド１００を側面図または側面断面図（図４）で見ることができる。
【００２４】
図２および図３を参照すると、ゴルフクラブヘッド１００は、ｘ軸５４、ｙ軸５８、およびｚ軸６２を含む座標系の原点を画定する重心（またはＣＧ）５０（図３、図４、および図５参照）をさらに含む。ｙ軸５８（図２および図４参照）は、クラブヘッド１００の重心５０を通って、クラウン（またはトップ）２６からソール（またはボトム）３０まで延び、側面図で見たときにホーゼル軸４６に平行であり、正面図（図２）で見たときにホーゼル軸４６から３０度の角度で配置される。ｘ軸５４（図３および図５参照）は、クラブヘッドの重心５０を通って、トウ（またはトウ端部）１８からヒール（またはヒール端部）２２まで延び、正面図で見たときにｙ軸５８に垂直であり、ｘｙ平面１０１２４に平行である。ｚ軸６２（図３から図５参照）は、クラブヘッド１００の重心５０を通って、クラブフェース３８から後端部３４まで延び、ｘ軸５４およびｙ軸５８に垂直である。ｘ軸５４は、ヘッドＣＧ５０を通って、トウ（またはトウ端部）１８からヒール（またはヒール端部）２２まで延び、ｘ軸１０１０６に平行である。ｙ軸５８は、ヘッドＣＧ５０を通って、クラウン（またはトップ）２６からソール（またはボトム）３０まで延び、ｙ軸１０１０４に平行である。ｚ軸６２は、ヘッドＣＧ５０を通って、クラブフェース３８から後端部３４まで延び、ｚ軸１０１０８に平行である。
【００２５】
図４に示すように、クラブヘッド１００は、ヘッド深さ平面１０１２０と、ヘッド深さ軸１０１２２と、をさらに備える。ヘッド深さ平面１０１２０は、打撃フェース３８の幾何学的中心１４０を通って、クラブヘッド１００のヒール２２からトウ１８の方向にロフト平面１０１０２に垂直に延び、ヘッド深さ軸１０１２２は、打撃フェース３８の幾何学的中心１４０を通って、ロフト平面１０１０２に垂直に延びる。多くの実施形態では、ヘッドＣＧ５０は、ｘｙ平面１０１２４に垂直な方向に測定して、ｘｙ平面１０１２４からヘッドＣＧ深さ１０１３０の位置に配置されてよい。いくつかの実施形態では、ヘッドＣＧ５０は、ロフト平面１０１０２に垂直な方向に測定して、ロフト平面１０１０２からヘッドＣＧ深さ１０１３０の位置に配置されてよい。ヘッドＣＧ５０は、ヘッド深さ平面１０１２０に垂直な方向に測定して、ヘッド深さ平面１０１２０からヘッドＣＧ高さ１０１３２の位置にさらに配置される。さらに、ヘッドＣＧ高さ１０１３２は、ヘッド深さ平面１０１２０に垂直な方向におけるヘッド深さ平面１０１２０からクラウン２６またはソール３０へのヘッドＣＧ５０のオフセット距離として測定される。
【００２６】
本明細書における発明を説明する際の追加の手引きとして、ｘ軸５４およびｚ軸６２は、図３のアナログ時計上の数字と一致するように配置される。ｚ軸６２は、１２時（クラブフェース３８を通る「１２」）と６時（バック３４を通る「６」）との間に延び、ｘ軸５４は、３時（トウ端部１８を通る「３」）と９時（ヒール端部２２を通る「９」）との間に延びる。
【００２７】
クラブヘッドの慣性モーメント、クラブヘッドの重心位置、およびクラブヘッドの重心の調節性などの所望の性能特性を達成するには、ゴルフクラブヘッドの様々なパラメータが重要である。クラブヘッドの慣性モーメントが高いと、中心を外れた打撃に対するクラブヘッドの寛容性が高くなる。クラブヘッドの重心が低後方に（すなわち、クラブヘッドのソールおよびリアに向かって）配置されると、有益なことに、慣性モーメントが増大し、バックスピンが減少し、インパクト時のゴルフボールの打ち出し角が大きくなる。クラブヘッドの重心の調整性により、エンドユーザは、クラブヘッドの軌道を望むように調整することができる。所望のまたは最適な性能特性を達成するために、これらのパラメータのそれぞれは、ゴルフクラブの設計において重要である。しかしながら、既存の重心調節機構の多くは、（１）クラブヘッドの慣性モーメントを低下させてしまう、および／または（２）内部ウェイト構造および／または大きなウェイト構造、および／またはウェイト構造の最適でない配置に起因して、クラブヘッドの重心をクラブヘッドの上前方に移動させてしまうため、ゴルフクラブヘッドの上記パラメータ全てを含むには、設計上の課題がある。
【００２８】
以下に記載されるゴルフクラブヘッドの実施形態は、クラブヘッドの慣性モーメントの著しい減少、および低後方のクラブヘッドの重心の配置を維持または防止しながら、調整可能な重み付けシステムを含む。例えば、以下の多くの実施形態は、ボールの飛行および／または軌道の調整性をユーザへ提供しながら、調整可能な重み付けシステムを欠くクラブヘッドと同様に、クラブヘッドの高い慣性モーメント、および低後方にクラブヘッドの重心位置を維持するための、低プロファイルの調整可能な重み付けシステムおよび／または最適に配置された調整可能な重み付けシステムを説明する。クラブヘッドＣＧの周りにクラブヘッドの高い慣性モーメントを維持することにより、中心を外れた打撃に対する寛容性が増し、ホーゼル軸の周りにクラブヘッドの高い慣性モーメントを維持することにより、スイング中の回転安定性が増す。さらに、低後方にクラブヘッドの重心を維持することにより、ヘッドＣＧの周りのクラブヘッドの慣性モーメントが有利に増加し、バックスピンが減少する。
【００２９】
クラブヘッド１００は、ｘ軸の周りの慣性モーメントＩｘｘ（すなわち、クラウン―ソール慣性モーメント）、ｙ軸の周りの慣性モーメントＩｙｙ（すなわち、ヒール―トウ慣性モーメント）、およびホーゼル軸４６の周りの慣性モーメントＩｈｈを備える。
【００３０】
本明細書に記載される調整可能な重み付けシステムを含むクラブヘッドのｘ軸の周りの慣性モーメントＩｘｘは、３１００ｇ・ｃｍ２より大きく、３２００ｇ・ｃｍ２より大きく、３３００ｇ・ｃｍ２より大きく、３４００ｇ・ｃｍ２より大きく、３５００ｇ・ｃｍ２より大きく、３６００ｇ・ｃｍ２より大きく、３７００ｇ・ｃｍ２より大きく、３８００ｇ・ｃｍ２より大きく、３９００ｇ・ｃｍ２より大きく、４０００ｇ・ｃｍ２より大きく、４１００ｇ・ｃｍ２より大きく、４２００ｇ・ｃｍ２より大きく、４３００ｇ・ｃｍ２より大きく、４４００ｇ・ｃｍ２より大きく、または４５００ｇ・ｃｍ２より大きくてよい。いくつかの実施形態では、本明細書に記載の調整可能な重み付けシステムを備えるクラブヘッドのｘ軸の周りの慣性モーメントＩｘｘは、３１００から４０００ｇ・ｃｍ２、３１００から３８００ｇ・ｃｍ２、３２００から４０００ｇ・ｃｍ２、３２００から４０００ｇ・ｃｍ２、３３００から４０００ｇ・ｃｍ２、３４００から４０００ｇ・ｃｍ２、または３５００から４０００ｇ・ｃｍ２である。
【００３１】
さらに、本明細書に記載される調整可能な重み付けシステムを含むクラブヘッドのｙ軸周りの慣性モーメントＩｙｙは、４７００ｇ・ｃｍ２より大きく、４８００ｇ・ｃｍ２より大きく、４９００ｇ・ｃｍ２より大きく、５０００ｇ・ｃｍ２より大きく、５１００ｇ・ｃｍ２より大きく、５２００ｇ・ｃｍ２より大きく、５３００ｇ・ｃｍ２より大きく、５４００ｇ・ｃｍ２より大きく、５５００ｇ・ｃｍ２より大きく、５６００ｇ・ｃｍ２より大きく、５７００ｇ・ｃｍ２より大きく、５８００ｇ・ｃｍ２より大きく、５９００ｇ・ｃｍ２より大きく、または６０００ｇ・ｃｍ２より大きくてよい。いくつかの実施形態では、本明細書に記載される調整可能な重み付けシステムを備えるクラブヘッドのｙ軸周りの慣性モーメントＩｙｙは、４８００から６０００ｇ・ｃｍ２、４９００から６０００ｇ・ｃｍ２、５０００から６０００ｇ・ｃｍ２、５１００から６０００ｇ・ｃｍ２、５２００から６０００ｇ・ｃｍ２、５３００から６０００ｇ・ｃｍ２、または５４００から６０００ｇ・ｃｍ２である。
【００３２】
さらにまた、本明細書に記載される調整可能な重み付けシステムを備えるクラブヘッドのホーゼル軸の周りの慣性モーメントＩｈｈは、７５００ｇ・ｃｍ２より大きく、８０００ｇ・ｃｍ２より大きく、８２５０ｇ・ｃｍ２より大きく、８５００ｇ・ｃｍ２より大きく、８７５０ｇ・ｃｍ２より大きく、９０００ｇ・ｃｍ２より大きく、９０５０ｇ・ｃｍ２より大きく、または１００００ｇ・ｃｍ２より大きくてよい。いくつかの実施形態では、本明細書に記載の調整可能な重み付けシステムを備えるクラブヘッドのホーゼル軸の周りの慣性モーメントＩｈｈは、７５００から１００００ｇ・ｃｍ２、８０００から１００００ｇ・ｃｍ２、８５００から１００００ｇ・ｃｍ２、または９０００から１００００ｇ・ｃｍ２である。
【００３３】
以下の関係式１を参照すると、調整可能な重み付けシステムを有するクラブヘッドの多くの実施形態は、ｘ軸の周りの慣性モーメントとｙ軸の周りの慣性モーメントとの合計として定義される、ヘッドＣＧの周りの結合慣性モーメント（ＭＯＩＣＧ）を備える。
【００３４】
【数１】
2020531089.tif 000003
【００３５】
ヘッド重心の周りの結合慣性モーメントＭＯＩＣＧは、７６００ｇ・ｃｍ２より大きく、７７００ｇ・ｃｍ２より大きく、７８００ｇ・ｃｍ２より大きく、７９００ｇ・ｃｍ２より大きく、８０００ｇ・ｃｍ２より大きく、８１００ｇ・ｃｍ２より大きく、８２００ｇ・ｃｍ２より大きく、８３００ｇ・ｃｍ２より大きく、８４００ｇ・ｃｍ２より大きく、８５００ｇ・ｃｍ２より大きく、８６００ｇ・ｃｍ２より大きく、８７００ｇ・ｃｍ２より大きく、８８００ｇ・ｃｍ２より大きく、８９００ｇ・ｃｍ２より大きく、９０００ｇ・ｃｍ２より大きく、９１００ｇ・ｃｍ２より大きく、９２００ｇ・ｃｍ２より大きく、または９３００ｇ・ｃｍ２より大きくてよい。例えば、クラブヘッド重心の周りの結合慣性モーメントＭＯＩＣＧは、７７００から９５００ｇ・ｃｍ２、７８００から９５００ｇ・ｃｍ２、７９００から９５００ｇ・ｃｍ２、８０００から９５００ｇ・ｃｍ２、８１００から９５００ｇ・ｃｍ２、８２００から９５００ｇ・ｃｍ２、または８３００から９５００ｇ・ｃｍ２であってよい。
【００３６】
以下の関係式２を参照すると、調整可能な重み付けシステムを備えるクラブヘッドの多くの実施形態は、ｘ軸周りの慣性モーメント、ｙ軸周りの慣性モーメント、およびホーゼル軸周りの慣性モーメントの合計として定義される、ヘッドＣＧおよびホーゼル周りの結合慣性モーメント（ＭＯＩＣＧ−Ｈ）を備える。
【００３７】
【数２】
2020531089.tif 000004
【００３８】
ヘッドＣＧおよびホーゼルの周りの結合慣性モーメントＭＯＩＣＧ−Ｈは、１４８００ｇ・ｃｍ２より大きく、１４９００ｇ・ｃｍ２より大きく、１５０００ｇ・ｃｍ２より大きく、１５１００ｇ・ｃｍ２より大きく、１５２００ｇ・ｃｍ２より大きく、１５３００ｇ・ｃｍ２より大きく、１５４００ｇ・ｃｍ２より大きく、１５５００ｇ・ｃｍ２より大きく、１５６００ｇ・ｃｍ２より大きく、１５７００ｇ・ｃｍ２より大きく、１５８００ｇ・ｃｍ２より大きく、１５９００ｇ・ｃｍ２より大きく、１６０００ｇ・ｃｍ２より大きく、１６２００ｇ・ｃｍ２より大きく、１６４００ｇ・ｃｍ２より大きく、１６６００ｇ・ｃｍ２より大きく、１６８００ｇ・ｃｍ２より大きく、１７０００ｇ・ｃｍ２より大きく、１７２００ｇ・ｃｍ２より大きく、１７４００ｇ・ｃｍ２より大きく、１７６００ｇ・ｃｍ２より大きく、１７８００ｇ・ｃｍ２より大きく、１８０００ｇ・ｃｍ２より大きく、１８４００ｇ・ｃｍ２より大きく、１８８００ｇ・ｃｍ２より大きく、１９０００ｇ・ｃｍ２より大きく、１９２００ｇ・ｃｍ２より大きく、または１９４００ｇ・ｃｍ２より大きくてよい。例えば、ヘッドＣＧおよびホーゼルの周りの結合慣性モーメントＭＯＩＣＧ−Ｈは、１５０００から１９５００ｇ・ｃｍ２、１５０００から１９０００ｇ・ｃｍ２、１５０００から１８０００ｇ・ｃｍ２、１６０００から１９５００ｇ・ｃｍ２、１６０００から１９０００ｇ・ｃｍ２、または１６０００から１８０００ｇ・ｃｍ２でよい。これらの実施形態では、４２５から４５０立方センチメートル（ｃｃ）の体積を有する調整可能な重み付けシステムを備えるクラブヘッドでは、ヘッドＣＧおよびホーゼルの周りの結合慣性モーメントＭＯＩＣＧ−Ｈは、１５０００ｇ・ｃｍ２より大きくてよく、４５０から５００立方センチメートル（ｃｃ）の体積を有する調整可能な重み付けシステムを備えるクラブヘッドでは、ヘッドＣＧおよびホーゼルの周りの結合慣性モーメントＭＯＩＣＧ−Ｈは、１７０００ｇ・ｃｍ２より大きくてよい。
【００３９】
本明細書に記載される調整可能な重み付けシステムを備えるクラブヘッドのヘッドＣＧ深さ１０１３０は、１．６インチより大きく、１．６５インチより大きく、１．７インチより大きく、１．７５インチより大きく、１．８インチより大きく、１．８５インチより大きく、１．９インチより大きく、１．９５より大きく、または２．０インチより大きくてよい。例えば、調整可能な重み付けシステムを有するクラブヘッドのヘッドＣＧ深さ１０１３０は、１．６１から２．０インチ、１．６５から２．０インチ、１．７から２．０インチ、１．８から２．０インチ、１．６１から３．０インチ、１．６５から３．０インチ、１．７から３．０インチ、１．８から３．０インチ、１．９から３．０インチ、または２．０から３．０インチであってよい。
【００４０】
さらに、本明細書に記載される調整可能な重み付けシステムを備えるクラブヘッドは、ヘッド深さ平面１０１２０の下に位置する（すなわち、ヘッド深さ平面１０１２０とクラブヘッドのソール３０との間に位置する）ヘッドＣＧ高さ１０１３２を有してよい。さらに、本明細書に記載される調整可能な重み付けシステムを備えるクラブヘッドのヘッドＣＧ高さ１０１３２は、クラブヘッドのクラウン２６またはソール３０に向かって、ヘッド深さ平面１０１２０の０．１０インチ以内、０．０９インチ以内、０．０８インチ以内、０．０７インチ以内、０．０６インチ以内、０．０５インチ以内、または０．０４インチ以内に位置してよい。
【００４１】
多くの実施形態では、調整可能な重み付けシステムは、ヘッドＣＧの位置を調整するために、クラブヘッドの複数の離散した部分または取り付け位置に配置変更可能な１つまたは複数のウェイトを含む。本明細書に記載される調整可能な重み付けシステムを使用してヘッドＣＧの位置を調整することにより、クラブヘッドの高い慣性モーメントを維持しながら、ボールの軌道および／またはインパクト時のクラブヘッドのスピン特性に影響を及ぼすことができる。
【００４２】
多くの実施形態では、調整可能な重み付けシステムは、１つまたは複数のウェイトを受け入れるための２つ以上の離散した取り付け位置を備えてよい。多くの実施形態では、調整可能な重み付けシステムは、２つ、３つ、４つ、または５つの離散した取り付け位置を含む。例えば、２つの離散した取り付け位置を有する調整可能な重み付けシステムの実施形態では、これらの取り付け位置は、クラブヘッドの後端部３４およびトウ１８に向かって配置された第１の取り付け位置と、後端部３４およびヒール２２に向かって配置された第２の取り付け位置と、を含んでよい。これらの実施形態では、第１の取り付け位置と第２の取り付け位置との間の距離は、０．８インチより大きく、０．９インチより大きく、１．０インチより大きく、１．１インチより大きく、１．２インチより大きく、または１．３インチより大きくてよい。例えば、第１の取り付け位置と第２の取り付け位置との間の距離は、０．８から１．３インチ、０．９から１．３インチ、１．０から１．３インチ、または１．１から１．３インチであってよい。
【００４３】
さらなる例として、３つの離散した取り付け位置（例えば、図５）を有する調整可能な重み付けシステムの実施形態では、これらの取り付け位置は、後端部３４およびトウ１８に向かって配置された第１の取り付け位置Ａと、後端部３４およびヒール２２に向かって配置された第２の取り付け位置Ｃと、第３の取り付け位置Ｂと、を含んでよい。これらの実施形態では、第３の取り付け位置Ｂは、中心におよびクラブヘッドの後端部３４に向かって配置されてよく、一般にはヘッド深さ軸１０１２２と一列に並んでいるか、またはヘッド深さ軸１０１２２に隣接しており、および／または第１および第２の取り付け位置Ａ、Ｃの間に配置されてよい。これらの実施形態では、隣接する取り付け位置の間の距離（例えば、第１の取り付け位置Ａと第３の取り付け位置Ｂとの間の距離、または第２の取り付け位置Ｃと第３の取り付け位置Ｂとの間の距離）は、０．５インチより大きく、０．６インチより大きく、０．７インチより大きく、０．８インチより大きく、０．９インチより大きく、１．０インチより大きくてよい。例えば、隣接する取り付け位置の間の距離（例えば、第１の取り付け位置Ａと第３の取り付け位置Ｂとの間の距離、または第２の取り付け位置Ｃと第３の取り付け位置Ｂとの間の距離）は、０．５から１．０インチ、０．６から１．０インチ、０．７から１．０インチ、または０．８から１．０インチであってよい。
【００４４】
他の実施形態では、調整可能な重み付けシステムは、例えば２つ、３つ、４つ、５つ、６つ、７つ、８つ、またはそれ以上の数など、１つよりも多い任意の数の離散した取り付け位置を含んでよい。調整可能な重み付けシステムが４つの離散した取り付け位置を含む実施形態では、隣接する取り付け位置の間の距離は、０．４インチより大きく、０．５インチより大きく、０．６インチより大きく、０．７インチより大きく、０．８インチより大きく、または０．９インチより大きくてよい。例えば、４つの離散した取り付け位置を含む実施形態では、隣接する取り付け位置の間の距離は、０．４から０．９インチ、０．５から０．９インチ、０．６から０．９インチ、または０．７から０．９インチであってよい。調整可能な重み付けシステムが５つの離散した取り付け位置を含む実施形態では、隣接する取り付け位置の間の距離は、０．３インチより大きく、０．４インチより大きく、０．５インチより大きく、０．６インチより大きく、０．７インチより大きく、または０．８インチより大きくてよい。例えば、４つの離散した取り付け位置を含む実施形態では、隣接する取り付け位置の間の距離は、０．３から０．８インチ、０．４から０．８インチ、０．５から０．８インチ、または０．６から０．８インチであってよい。
【００４５】
本明細書に記載される調整可能な重み付けシステムを備えるクラブヘッドの複数の離散した取り付け位置は、締結具を受け入れ可能な突出体、開口、凹部またはポート、ノッチ、タブまたはカットアウト領域、リブまたは溝、ペグ、フック、磁石、プログラマブル磁石、または任意の他の適切な取り付け手段を含む様々なフィーチャ（ｆｅａｔｕｒｅｓ）を備えることができる。締結具を受け入れ可能な開口、凹部またはポートを有する多くの実施形態では、締結具は、本体と同じ材料、または本体よりも軽い密度を有する材料を有してよく、これにより、締結具は、クラブヘッドの調整可能な重み付けの特性に寄与しない。さらに、いくつかの実施形態では、開口、凹部またはポートは、ねじ切りされた締結具を受け入れるようにねじ切りされてよい。多くの実施形態では、調整可能な重み付けシステムは、ポートまたは凹部内に１つまたは複数のウェイトを固定するために必要とされる顕著な内部構造を必要とする複数のおよび／または深いポートまたは凹部を有さない。
【００４６】
調整可能な重み付けシステムは、複数の離散した取り付け位置に配置可能な１つまたは複数のウェイトをさらに備える。１つまたは複数のウェイトは、ウェイトが１つまたは複数の取り付け位置に結合されている状態において、ｙ軸５８に平行にクラウンからソール方向に測定される高さ１０１５２と、ウェイトが１つまたは複数の取り付け位置に結合されている状態において、ｘ軸５４に平行にヒールからトウ方向に測定される幅１０１５４と、ウェイトが１つまたは複数の取り付け位置に結合されている状態において、ｚ軸６２に平行に前後方向に測定される深さ１０１５６と、を有してよい。多くの実施形態では、高さ１０１５２は、０．５インチ未満、０．４インチ未満、０．３インチ未満、０．２５インチ未満、０．２インチ未満、０．１８インチ未満、０．１６インチ未満、０．１４インチ未満、０．１２インチ未満、または０．１０インチ未満であってよい。多くの実施形態では、幅１０１５４は、１．３インチ未満、１．２インチ未満、１．１インチ未満、１．０インチ未満、０．９インチ未満、０．８インチ未満、０．７インチ未満、０．６インチ未満、０．５インチ未満、または０．４インチ未満であってよい。多くの実施形態では、深さ１０１５６は、１．０インチ未満、０．９インチ未満、０．８インチ未満、０．７インチ未満、０．６インチ未満、０．５インチ未満、０．４インチ未満、０．３インチ未満、０．２インチ未満、または０．１インチ未満であってよい。多くの実施形態では、１つまたは複数のウェイトは、取り付け位置のいずれかに結合されたときにクラブヘッドの本体に当接する表面積を有してよい。多くの実施形態では、クラブヘッドに当接するウェイトの表面積は、０．７５ｉｎｃｈ２未満、０．７ｉｎｃｈ２未満、０．６５ｉｎｃｈ２未満、０．６ｉｎｃｈ２未満、０．５５ｉｎｃｈ２未満、０．５ｉｎｃｈ２未満、０．４５ｉｎｃｈ２未満、０．４ｉｎｃｈ２未満、０．３５ｉｎｃｈ２未満、０．３ｉｎｃｈ２未満、または０．２５ｉｎｃｈ２未満であってよい。
【００４７】
多くの実施形態では、調整可能な重み付けシステムは、クラブヘッド上の複数の離散した取り付け位置に配置可能な第１のウェイトＷを含む。いくつかの実施形態では、調整可能な重み付けシステムは、クラブヘッド上の複数の離散した取り付け位置に配置可能である第２のウェイト、第３のウェイト、第４のウェイト、および第５のウェイトなどの追加のウェイトをさらに備えてよい。これらの実施形態では、複数のウェイトの各ウェイトは、クラブヘッド上の異なる離散した取り付け位置に配置されてよい。さらに、これらの実施形態では、複数のウェイトの各ウェイトは、取り外されてよく、クラブヘッド上の異なる離散した取り付け位置において、置き換えられ、または配置変更されてよい。本明細書に記載される調整可能なウェイトシステムの実施形態は、最大５つまでウェイトを含むが、他の実施形態は、任意の数のウェイトを有する調整可能な重み付けシステムを含んでよい。
【００４８】
多くの実施形態では、第１のウェイトは、残りのウェイト（例えば、第２のウェイト、第３のウェイト、第４のウェイト、および／または第５のウェイト）より重い。第１のウェイトは、１０グラムより大きい、１２グラムより大きい、１４グラムより大きい、１６グラムより大きい、１８グラムより大きい、２０グラムより大きい、２２グラムより大きい、２４グラムより大きい、２６グラムより大きい、２８グラムより大きい、または３０グラムより大きい質量を備えてよい。例えば、第１のウェイトは、６から５０グラム、１０から５０グラム、１５から５０グラム、２０から５０グラム、１５から４０グラム、２０から４０グラム、２５から３５グラム、１０から２５グラム、１５から２５グラム、１０から２０グラム、または１５から２０グラムの質量を備えてよい。残りのウェイト（例えば、第２のウェイト、第３のウェイト、第４のウェイト、および／または第５のウェイト）は、２０グラム未満、１８グラム未満、１６グラム未満、１４グラム未満、１２グラム未満、１０グラム未満、８グラム未満、６グラム未満、４グラム未満、または２グラム未満の質量を備えてよい。例えば、残りのウェイトは、０．１０から１５グラム、０．２５から１０グラム、０．５から７グラム、または１から１０グラムの質量を備えてよい。
【００４９】
第１のウェイトは、離散した取り付け位置のうち任意の取り付け位置に配置されてよい。２つの離散した取り付け位置を含む調整可能な重み付けシステムを有する実施形態では、第１のウェイトは、トウ１８付近に配置される第１の取り付け位置、またはヒール２２付近に配置される第２の取り付け位置に配置されてよい。これらの実施形態では、第１のウェイトを第１の取り付け位置から第２の取り付け位置に移動させると、ヘッドＣＧが、ヒール２２に向かって移動し、第１のウェイトを第２の取り付け位置から第１の取り付け位置に移動させると、ヘッドＣＧが、トウ１８に向かって移動する。これらの実施形態では、残りの取り付け位置には、ウェイトが無くてもよく、または残りの取り付け位置が、追加のウェイト（例えば、第２のウェイト）有していてよい。
【００５０】
３つの離散した取り付け位置を備える調整可能な重み付けシステムを有する実施形態では、第１のウェイトＷは、中央に配置される第３の取り付け位置Ｂに配置されてよく、それによってニュートラルなヘッドＣＧの位置を生成することができる。第１のウェイトは、第３の取り付け位置Ｂから、トウ１８に向かって配置されている第１の取り付け位置Ａに移動されてよく、それによって、ヘッドＣＧ５０がトウ１８に向かってある距離だけ移動する。第１のウェイトＷは、第３の取り付け位置Ｂから、ヒール２２に向かって配置されている第２の取り付け位置Ｃに移動されてよく、それによって、ヘッドＣＧ５０がヒール２２に向かってある距離だけ移動する。これらの実施形態では、残りの位置には、ウェイトが無くてもよく、または残りの位置が、追加のウェイト（例えば、第２のウェイトおよび／または第３のウェイト）を有してもよい。
【００５１】
トウ１８に最も近い取り付け位置からヒール２２に最も近い取り付け位置に第１のウェイトＷを移動させることにより、ヘッドＣＧ５０を、ｘ軸５４に平行に延びる方向に、少なくとも０．１０インチ、少なくとも０．１５インチ、少なくとも０．２０インチ、少なくとも０．２５インチ、または少なくとも０．３０インチの距離だけ移動させることができる。例えば、多くの実施形態では、トウ１８に最も近い取り付け位置からヒール２２に最も近い取り付け位置に第１のウェイトＷを移動させることにより、ヘッドＣＧ５０を、０．１０から０．３０インチ、０．１５から０．３０インチ、０．２０から０．３０インチ、０．１５から０．２５インチ、または０．２０から０．２５インチの距離だけ移動させることができる。
【００５２】
これらの実施形態または他の実施形態では、ヘッドＣＧ５０をトウ１８に向かって移動させることにより、フェードを発生させるか、またはフックを補正することができる。逆に、ヘッドＣＧ５０をヒール２２に向かって移動させることにより、ドローを発生させるか、またはスライスを補正することができる。以下に説明する調整可能な重み付けシステムの実施形態では、ｘ軸５４に平行に延びる方向に、０．１０インチから０．３０インチだけヘッドＣＧ５０を移動させることにより、４．６ヤードから１３．９ヤードのショット曲がりの変化をもたらすことができる。
【００５３】
他の実施形態は、クラブヘッド１００の打撃フェース３８に向かって配置される１つまたは複数の離散した取り付け位置を含んでよい。これらの実施形態では、１つまたは複数のウェイトを、打撃フェース３８付近の取り付け位置からクラブヘッド１００の後端部３４付近の取り付け位置に移動させることにより、ヘッドＣＧの周りのクラブヘッドの慣性モーメントＭＯＬＣＧを増大させ、ゴルフボールのダイナミックロフトまたは打ち出し角を大きくすることができる。逆に、１つまたは複数のウェイトを、後端部３４付近の取り付け位置からクラブヘッド１００の打撃フェース３８付近の取り付け位置に移動させることにより、ゴルフボールのダイナミックロフトまたは打ち出し角を小さくすることができる。
【００５４】
本明細書に記載される調整可能な重み付けシステムを有するクラブヘッドの実施形態は、ヘッドＣＧ深さ１０１３０およびクラブヘッドの慣性モーメントを最大化する（または調整不可能なクラブヘッドと比較して、一般的に調整性を導入することと関連するヘッドＣＧ深さ１０１３０およびクラブヘッドの慣性モーメントの低減を最小化する）。多くの実施形態では、比較的軽い質量を有する第１の調節可能なウェイトにより、ヘッドＣＧ深さおよびクラブヘッドの慣性モーメントの最大化が達成されるため、クラブヘッドの性能特性（例えば、寛容性、低バックスピン、高い打ち上げ）を維持するための設計効率が上がるだけでなく、ユーザによるボールスピンおよび／または軌道の調整も可能である。
【００５５】
以下の関係式３を参照すると、調整可能な重み付けシステムを有するクラブヘッドは、第１のウェイトＷｍの質量に対するヘッドＣＧ深さ１０１３０の深さ質量比を備える。多くの実施形態では、クラブヘッドの深さ質量比は、０．０６０インチ／グラムより大きく、０．０７０インチ／グラムより大きく、０．０８０インチ／グラムより大きく、０．０９０インチ／グラムより大きく、０．１００インチ／グラムより大きく、０．１１０インチ／グラムより大きく、０．１２０インチ／グラムより大きく、または０．１３０インチ／グラムより大きくてよい。いくつかの実施形態では、深さ質量比は、０．０７０から０．１３インチ／グラム、０．０８０から０．１３インチ／グラム、０．０９０から０．１３インチ／グラム、０．０７０から０．１１インチ／グラム、０．０８０から０．１１インチ／グラム、または０．０９０から０．１１インチ／グラムであってよい。これらの実施形態では、第１のウェイトの質量は、２５グラム未満、２４グラム未満、２３グラム未満、２２グラム未満、２０グラム未満、１９グラム未満、１８グラム未満、１７グラム未満、１６グラム未満、または１５グラム未満であってよい。いくつかの実施形態では、第１のウェイトの質量は、１０から２０グラム、１２から２０グラム、１４から２０グラム、１６から２０グラム、１０から１８グラム、１２から１８グラム、または１４から１８グラムであってよい。
【００５６】
【数３】
2020531089.tif 000005
【００５７】
以下の関係式４を参照すると、調整可能な重み付けシステムを有するクラブヘッドは、第１のウェイトＷｍの質量に対するヘッドＣＧの周りの結合慣性モーメントＭＯＩＣＧとして定義される第１の慣性質量比を備えてよい。多くの実施形態では、第１の慣性質量比は、４００ｃｍ２より大きく、４１０ｃｍ２より大きく、４２０ｃｍ２より大きく、４３０ｃｍ２より大きく、４４０ｃｍ２より大きく、４５０ｃｍ２より大きく、４６０ｃｍ２より大きく、４７０ｃｍ２より大きく、４８０ｃｍ２より大きく、４９０ｃｍ２より大きく、５００ｃｍ２より大きく、５１０ｃｍ２より大きく、５２０ｃｍ２より大きく、５３０ｃｍ２より大きく、５４０ｃｍ２より大きく、または５５０ｃｍ２より大きくてよい。いくつかの実施形態では、第１の慣性質量比は、４００から５５０ｃｍ２、４１０から５５０ｃｍ２、４２０から５５０ｃｍ２、４３０から５５０ｃｍ２、４４０から５５０ｃｍ２、４５０から５５０ｃｍ２、４００から５００ｃｍ２、４１０から５００ｃｍ２、４２０から５００ｃｍ２、４３０から５００ｃｍ２、４４０から５００ｃｍ２、または４５０から５００ｃｍ２であってよい。これらの実施形態では、第１のウェイトの質量は、２５グラム未満、２４グラム未満、２３グラム未満、２２グラム未満、２０グラム未満、１９グラム未満、１８グラム未満、１７グラム未満、１６グラム未満、または１５グラム未満であってよい。いくつかの実施形態では、第１のウェイトの質量は、１０から２０グラム、１２から２０グラム、１４から２０グラム、１６から２０グラム、１０から１８グラム、１２から１８グラム、または１４から１８グラムであってよい。
【００５８】
【数４】
2020531089.tif 000006
【００５９】
本明細書に記載される調整可能な重み付けシステムを有するクラブヘッドの実施形態は、１つまたは複数のウェイトを複数の離散した取り付け位置に調整することによって達成可能なヘッドＣＧの総移動を最大化する。多くの実施形態では、比較的軽い質量を有する第１の調整可能なウェイトにより、ヘッドＣＧの総移動の最大化が達成されるため、クラブヘッド性能特性（例えば、寛容性、低バックスピン、高い打ち上げ）を維持するための設計効率が上がるだけでなく、ユーザによるボールスピンおよび／または軌道の調整も可能である。
【００６０】
以下の関係式５を参照すると、調整可能な重み付けシステムを有するクラブヘッドは、第１のウェイトの質量に対するヘッドＣＧの総移動量またはヘッドＣＧの最大移動量として定義されるヘッドＣＧ質量比を備える。多くの実施形態では、ヘッドＣＧ質量比は、０．００８インチ／グラムより大きく、０．００９インチ／グラムより大きく、０．０１０インチ／グラムより大きく、０．０１１インチ／グラムより大きく、０．０１２インチ／グラムより大きく、０．０１３インチ／グラムより大きく、０．０１４インチ／グラムより大きく、または０．０１５インチ／グラムより大きくてよい。いくつかの実施形態では、ヘッドＣＧ質量比は、０．００８から０．０１５インチ／グラム、０．００９から０．０１５インチ／グラム、０．０１０から０．０１５インチ／グラム、０．００８から０．０１３インチ／グラム、０．００９から０．０１３インチ／グラム、または０．０１０から０．０１３インチ／グラムとしてよい。これらの実施形態では、第１のウェイトの質量は、２５グラム未満、２４グラム未満、２３グラム未満、２２グラム未満、２０グラム未満、１９グラム未満、１８グラム未満、１７グラム未満、１６グラム未満、または１５グラム未満としてよい。いくつかの実施形態では、第１のウェイトの質量は、１０から２０グラム、１２から２０グラム、１４から２０グラム、１６から２０グラム、１０から１８グラム、１２から１８グラム、または１４から１８グラムとしてよい。
【００６１】
【数５】
2020531089.tif 000007
【００６２】
調整可能な重み付けシステムの１つまたは複数のウェイトは、ウェイトＣＧ１０１３４を備える。多くの実施形態では、ウェイトＣＧは、上面図または底面図（図５）で見たときにクラブヘッドのリア周縁（またはスカート）１０１３６の近くに配置され、打撃フェース３８の幾何学的中心１４０から最大距離１０１３８に配置される。ウェイトＣＧ１０１３４をクラブヘッド１００のリア周縁１０１３６の近く、または打撃フェース３８から離して配置することにより、周縁の重みおよびクラブヘッドの慣性モーメントを増加させることができ、それによって、打撃フェース付近に調整可能なウェイトを配置する場合と比較して、中心を外れた打撃に対するクラブヘッドの寛容性を高めることができる。さらに、ウェイトＣＧ１０１３４をリア周縁１０１３６の近く、または打撃フェース３８から離して配置することにより、ヘッドＣＧの位置をより低後方とすることができ、それによって、打撃フェース付近に調整可能なウェイトを配置する場合と比較して、クラブヘッドの慣性モーメントを増大し、バックスピンを低減することができる。
【００６３】
これらの実施形態では、ウェイトがクラブヘッド１００上の複数の離散した取り付け位置のうちの１つまたは複数に配置された状態において、１つまたは複数のウェイトのウェイトＣＧ１０１３４は、クラブヘッド１００のリア周縁１０１３６から距離１０１４２に配置される。距離１０１４２は、ウェイトがクラブヘッド１００上の複数の離散した取り付け位置のうちの１つ以上に配置された状態において、クラブヘッドをｘｚ平面１０１２６に垂直な底面図で見たときに、ウェイトＣＧから周縁１０１３６までの投影距離として測定することができる。さらに、距離１０１４２は、ウェイトがクラブヘッド１００上の複数の離散した取り付け位置のうちの１つ以上に配置された状態において、ｘｚ平面１０１２６に平行な方向に測定することができる。例えば、１つまたは複数のウェイトのうちのウェイトＣＧ１０１３４は、クラブヘッド１００のリア周縁１０１３６から０．７インチ以内、０．６５インチ以内、０．６インチ以内、０．５５インチ以内、０．５インチ以内、０．４５インチ以内、０．４インチ以内、０．３５インチ以内、０．３インチ以内、０．２５インチ以内、または０．２インチ以内に配置されてよい。さらなる例として、１つまたは複数のウェイトのうちのウェイトＣＧ１０１３４は、クラブヘッド１００のリア周縁１０１３６から、０．１０から０．５０インチ、０．２５から０．５インチ、０．１０から０．２５インチ、０．１０から０．３５インチ、または０．１０から０．４５インチの間に配置されてよい。
【００６４】
さらに、これらの実施形態では、１つまたは複数のウェイトのウェイトＣＧ１０１３４は、ウェイトがクラブヘッド１００上の複数の離散した取り付け位置のうちの１つ以上に配置された状態において、クラブヘッド１００の打撃フェース３８の幾何学的中心１４０から距離１０１３８に配置される。例えば、１つまたは複数のウェイトのウェイトＣＧ１０１３４は、打撃フェースの幾何学的中心から、２．０インチより大きい、２．２５インチより大きい、２．５インチより大きい、２．７５インチより大きい、３．０インチより大きい、３．２５インチより大きい、３．５インチより大きい、または３．７５インチより大きい距離１０１３８に配置されてよい。さらなる例として、１つまたは複数のウェイトのウェイトＣＧ１０１３４は、打撃フェース３８の幾何学的中心１４０から、２．０から３．５インチ、２．５から３．５インチ、２．０から３．０インチ、２．５から３．０インチ、２．５から４．０インチ、３．０から３．７５インチ、３．０から４．０インチ、３．２から４．０インチ、または３．５から４．０インチの距離１０１３８に配置されてよい。打撃フェース３８の幾何学的中心１４０から離れるようにウェイトＣＧ１０１３４を配置することにより、周縁の重みおよびクラブヘッドの慣性モーメントを増大させることができ、それにより、打撃フェース付近に調整可能なウェイトを配置する場合と比較して、中心を外れた打撃に対するクラブヘッドの寛容性を高めることができる。さらに、打撃フェース３８の幾何学的中心１４０から離れるようにウェイトＣＧ１０１３４を配置することにより、ヘッドＣＧ位置をより低後方にすることができ、それによって、打撃フェース付近に調整可能なウェイトを配置する場合と比較して、クラブヘッドの慣性モーメントを増大し、バックスピンを低減することができる。
【００６５】
多くの実施形態では、ウェイトＣＧ１０１３４は、ソール３０の外部輪郭（または外面）１０１４６から突出し、ソール３０の外部輪郭１０１４６と同一平面に配置され、および／またはソール３０の外部輪郭１０１４６に対して最小限に差し込まれて配置される。ウェイトＣＧ１０１３４をソール３０の外部輪郭１０１４６に対して最小限に差し込まれるように、外部輪郭１０１４６と同一平面に、または外部輪郭１０１４６の外部に配置することにより、１つまたは複数のウェイトを受け入れるために必要な構造支持材料を少なくすることができ、それによって、低プロファイルの調整可能な重み付けシステムが維持される。したがって、ウェイトＣＧ１０１３４をソール３０の外部輪郭１０１４６に対して最小限に差し込まれるように、外部輪郭１０１４６と同一平面に、または外部輪郭１０１４６の外部に配置することにより、周縁の重みおよびクラブヘッドの慣性モーメントを増加させることができ、それによって、調整可能なウェイトを内部に設ける、またはクラブヘッドに埋め込む場合と比較して、中心を外れた打撃に対するクラブヘッドの寛容性を高めることができる。さらに、ウェイトＣＧ１０１３４をソール３０の外部輪郭１０１４６に対して最小限に差し込まれるように、外部輪郭１０１４６と同一平面に、または外部輪郭１０１４６の外部に配置することにより、ヘッドＣＧの位置をより低後方にすることができ、それによって、調整可能なウェイトを内部に設ける、またはクラブヘッドに埋め込む場合と比較して、クラブヘッドの慣性モーメントを増大し、バックスピンを低減することができる。
【００６６】
これらの実施形態では、１つまたは複数のウェイトのウェイトＣＧ１０１３４は、ウェイトがクラブヘッド１００上の複数の離散した取り付け位置のうちの１つ以上に配置された状態において、ソール３０の外部輪郭１０１４６から距離１０１４８に配置され、距離１０１４８は、ｙ軸５８に平行な方向に測定される。例えば、１つまたは複数のウェイトのウェイトＣＧ１０１３４は、ソールの外部輪郭１０１４６から、０．１０インチまで、０．１５インチまで、０．２０インチまで、０．２５インチまで、または０．３０インチまで突出してよい。いくつかの実施形態では、１つまたは複数のウェイトのウェイトＣＧ１０１３４は、ソール３０の外部輪郭１０１４６から、０．１０から０．２５インチ、０．１５から０．２５インチ、または０．１５から０．３０インチだけ突出する。さらなる例として、ウェイトＣＧ１０１３４は、ソール３０の外部輪郭１０１４６に対して、０．１５インチ未満、０．１４インチ未満、０．１３インチ未満、０．１２５インチ未満、０．１２インチ未満、０．１１インチ未満、０．１０インチ未満、０．０９インチ未満、０．０８インチ未満、または０．０７インチ未満の距離１０１４８だけ差し込まれてよい。いくつかの実施形態では、１つまたは複数のウェイトのウェイトＣＧ１０１３４は、ソール３０の外部輪郭１０１４６に対して、０．０５から０．１５インチ、０．０５から０．１２５インチ、０．０５から０．１５インチ、０．１０から０．１５インチ、０．１０から０．１２５インチ、または０．１０から０．１５インチの間の距離１０１４８だけ差し込まれる。
【００６７】
図６および図７は、上述のクラブヘッド１００と同様のクラブヘッド１１０１０を示す。クラブヘッド本体１１０１４を有するクラブヘッド１１０１０は、様々な状況下での所望の性能特性（例えば、寛容性、スピン、軌道）を達成するように、クラブヘッド１１０１０の重心、および／または慣性モーメント、および／またはヒール／トウバイアスを変更するためにエンドユーザによって調整可能であり、ソール１１０３０上に配置される調整可能な重み付けシステム１１０６６を含む。クラブヘッド１１０１０は、多くの点でクラブヘッド１００と同様であり、同様または同一の番号により、同様または同一の要素を指す。調整可能な重み付けシステム１１０６６は、低プロファイルのシステムであるため、調整可能な重み付けシステム１１０６６を有さないクラブヘッドと比較して、クラブヘッド１１０１０のＭＯＩを著しく移動または変化させない。さらに、低プロファイルの調整可能な重み付けシステム１１０６６は、クラブヘッド１１０１０の全体的なＣＧを低後方の位置に保つように、クラブヘッド１１０１０のＣＧの移動が主にヒール端部１１０２２からトウ端部１１０１８の方向に起こることを確実にする。クラブヘッド１１０１０の重心位置およびＭＯＩは、上述のクラブヘッド１００の重心位置およびＭＯＩと同様または同一であってよい。
【００６８】
図６および図７を参照すると、調整可能な重み付けシステム１１０６６は、凹部１１０８０を備えてよい。凹部１１０８０は、複数の離散した取り付け位置を含むように構成された凹面１１０８１を備える。複数の離散した取り付け位置は、締結具を受け入れ可能な突出体、開口、凹部またはポート、ノッチまたはタブまたはカットアウト領域、リブまたは溝、ペグ、フック、磁石、プログラマブル磁石、または任意の他の適切な取り付け手段を含む様々なフィーチャを備えることができる。図示の実施形態では、調整可能な重み付けシステム１１０６６は、３つの離散した取付け位置１１０７０Ａ、１１０７０Ｂ、および１１０７０Ｃを備える凹面１１０８１を含む。３つの離散した取り付け位置は、フィーチャ１１０７０Ａ、１１０７０Ｂ、および１１０７０Ｃを含む。フィーチャ１１０７０Ａ、１１０７０Ｂ、および１１０７０Ｃは、上述のフィーチャのいずれを備えてもよい。取り付け位置および対応するフィーチャ１１０７０Ａ、１１０７０Ｂ、および１１０７０Ｃは、１つまたは複数のウェイト１１０８２を受けるように構成される。
【００６９】
再び図６および図７を参照すると、凹部１１０８０は、溝、チャネル、および／または凹状トラックを画定しており、この溝、チャネル、および／または凹状トラックは、クラブヘッド１１０１０のソール（またはボトム）１１０３０に沿って延び、後縁部１１０７２またはリア周縁１０１３６に隣接し、トウ（またはトウ端部）１１０１８からヒール（またはヒール端部）１１０２０までほぼ弓形状に延びる。凹部１１０８０は、後縁部１１０７２の輪郭にほぼ追従しているが、凹部１１０８０は、ヒール端部１１０２２とトウ端部１１０１８との間で後縁部１１０７２またはリア周縁１０１３６からわずかにオフセットされていてよい。凹部１１０８０は、第１の壁１１０８３によってクラブヘッド１１０１０のソール１１０３０からオフセットされた凹面１１０８１を含む。凹面１１０８１の一部は、第２の壁１１０８４によってさらにソール１１０３０からオフセットされてよく、第２の壁１１０８４は、第１の壁１１０８３に対向し、後縁部１１０７２またはリア周縁１０１３６に近接している。概して、凹面１１０８１は、クラブヘッド１１０１０のソール１１０３０に略平行に延びる一方、第１の壁１１０８３および第２の壁１１０８４は、凹面１１０８１および／またはソール１１０３０に略垂直に延びる。他の実施形態では、第１の壁１１０８３および第２の壁１１０８４は、凹面１１０８１とソール１１０３０との間で、垂直でない角度で延びてもよい。
【００７０】
凹部１１０８０は、凹面１１０８１と平行な方向における凹面１１０８１からソール１１０３０までの距離として測定される深さを含む。図示の実施形態では、凹部１１０８０は、様々な深さを有しており、ある領域において他の領域より深くなっている（例えば、連続的または断続的に変化する深さを有していてもよい）。例えば、いくつかの実施形態では、凹部１１０８０は、トウ端部１１０１８からヒール端部１１０２２までの長さに沿って、深くなる、浅くなる、および／または一定である深さを有してよい。したがって、ウェイト１１０８２が凹部１１０８０のある領域でクラブヘッド１１０１０に結合されると、ウェイト１１０８２は、壁１１０８３によって隠され、ソール１１０３０と面一になる場合がある。ウェイト１１０８２が凹部１１０８０の別の領域でクラブヘッド１１０１０に結合されると、ウェイト１１０８２の一部は、壁１１０８３から外側に突出する場合がある。図６から図８に示すように、凹部１１０８０は、クラブヘッド１１０１０のトウ端部１１０１８に設けられる第１の領域１１０７７と、クラブヘッド１１０１０のヒール端部１１０２２に設けられる第２の領域１１０７６と、後端部１１０３４に沿って、または後端部１１０３４付近で、ヒール端部１１０２２とトウ端部１１０２２との間に配置される第３の領域１１０７８と、を備える。図６を参照すると、凹部１１０８０の第１の領域１１０７７における深さ（および同様に、第２の領域１１０７６における深さ）は、第３の領域における深さよりも小さい。したがって、凹部１１０８０の深さは、第１および第２の領域１１０７７、１１０７６から第３の領域１１０７８に向かって増大し、第３の領域１１０７８は、第１および第２の領域１１０７７、１１０７６よりも大きい一定の深さを有する。この例示的な実施形態では、ウェイト１１０８２は、第３の領域１１０７８に結合されると、第１の壁１１０８３によって隠され（例えば、図２のｙ軸５８に沿った図からわかる）、第１および第２の領域１１０７７、１１０７６では、ソール１１０３０の輪郭から少なくとも部分的に露出するか、または少なくとも部分的に突出し得る。他の実施形態では、第１の領域１１０７７、第２の領域１１０７６、および第３の領域１１０７８は、一定の深さを有してよく、その結果、ウェイト１１０８２が第１、第２、および／または第３の領域１１０７７、１１０７６、１１０７８のいずれかに結合されると、ウェイト１１０８２は、壁１１０８３によって隠される。他の実施形態では、凹部１１０８０は、図示されたものとは異なる数および位置の領域を含む。例えば、いくつかの実施形態では、凹部１１０８０は、ウェイト１１０８２が結合されたときに、ウェイト１１０８２が隠される領域を２つ以上含んでよい。例えば、凹部１１０８０は、１つの領域、２つの領域、３つの領域、４つの領域、５つの領域、６つの領域、７つの領域、または８つの領域を備えてよい。
【００７１】
多くの実施形態では、凹部１１０８０は、調整可能な重み付けシステム１１０６６が低プロファイルであることを保証するように、浅い深さを有する。例えば、いくつかの実施形態では、凹部１１０８０は、０．２５インチの最大深さを有する。他の実施形態では、凹部１１０８０は、１．５インチ、１．２５インチ、１．０インチ、０．９インチ、０．８インチ、０．７インチ、０．６インチ、０．５インチ、０．４インチ、０．３インチ、０．２インチ、または０．１インチの最大深さを有してよい。他の実施形態では、凹部１１０８０の深さは、０．０５から０．２５インチ、０．１から０．４インチ、０．１から０．６インチ、０．１から０．８インチ、０．２から０．４インチ、０．２から０．６インチ、０．２から０．８インチ、０．３から０．７インチ、０．３から０．９インチ、０．４から０．８インチ、０．４から１．２インチ、０．５から１．０インチ、０．５から１．５インチ、または１．０から１．５インチの範囲内で変化してよい。さらに、凹部１１０８０は、第１の壁１１０８３と後縁部１１０７２または第２の壁１１０８４との間の距離として測定される幅を含む。図示の実施形態では、凹部１１０８０は、様々な幅を含む。いくつかの実施形態では、第１の領域１１０７７の幅は、トウ端部１１０１８から中央または第３の領域１１０７８に向かって増加し、第２の領域１１０７６の幅は、ヒール端部１１０２２から中央および／または第３の領域１１０７８に向かって増加し、第３の領域１１０７８の幅は、第１および／または第２の領域１１０７７、１１０７６の幅の平均よりも小さい一定の幅である。図６から図８に示す他の実施形態では、凹部１１０８０の幅は、中央または第３の領域１１０７８から第１の領域１１０７７および第２の領域１１０７６に向かって増加してよい。他の実施形態では、凹部１１０８０は、増加する、減少する、および／または一定である幅を有してよい。多くの実施形態では、幅は、２．０インチ未満であってよい。例えば、いくつかの実施形態では、幅は、２．０インチ、１．７５インチ、１．５インチ、１．２５インチ、１．０インチ、０．９インチ、０．８インチ、０．７インチ、０．６インチ、０．５インチ、０．４インチ、０．３インチ、または０．２インチ未満であってよい。他の実施形態では、幅は、０．１から０．５インチ、０．３から０．７インチ、０．５から０．９インチ、０．７から１．１インチ、０．９から１．３インチ、１．１から１．５インチ、１．３から１．７インチ、または１．５から２．０インチの間で変化してよい。
【００７２】
再び図６および図７を参照すると、凹部１１０８０は、ウェイト１１０８２をクラブヘッド１１０１０に固定するための１つまたは複数の離散した取り付け位置を画定する１つまたは複数のフィーチャ１１０７０を含んでよい。１つまたは複数の離散した取り付け位置を有するクラブヘッド１１０１０は、他の調整可能な重み付けシステムと異なり、ウェイトを、クラブヘッド上の任意の位置、無限の位置、または限定されない数の位置で結合可能である。図６および図７を参照すると、図示の実施形態では、凹部１１０８０は、３つのフィーチャまたは取り付け位置１１０７０Ａ、Ｂ、Ｃを含んでよい。フィーチャ１１０７０Ａ、Ｂ、Ｃは、ねじ締結具１１０８５を受け入れるように構成された開口として示されている。ねじ締結具１１０８５は、クラブヘッド１１０１０の密度以下の密度を有する材料から構成されてよい。他の実施形態では、フィーチャ１１０７０Ａ、Ｂ、Ｃは、締結具を受け入れ可能な突出体、開口、凹部、ポート、ノッチ、タブ、切り欠き領域、リブ、溝、ペグ、フック、磁石、プログラマブル磁石、または任意の他の適切な取り付け手段であってよい。他の実施形態では、凹部１１０８０は、１つ、２つ、３つ、４つ、５つ、６つ、７つ、８つ、９つ、または１０個のフィーチャ１１０７０を備えてよい。
【００７３】
図示されるように、フィーチャ１１０７０Ａ、Ｂ、Ｃは、凹部１１０８０内で凹面１１０８１に沿って配置されており、この結果、１つまたは複数のウェイト１１０８２が凹部１１０８０に沿ってクラブヘッド１１０１０に解放可能にまたは取り外し可能に結合されてよい。より具体的には、第１のフィーチャ１１０７０Ａは、トウ端部１１０１８付近の凹部１１０８０の第１の領域１１０７７に沿って配置され、第２のフィーチャ１１０７０Ｃは、ヒール端部１１０２２付近の凹部の第２の領域１１０７６に沿って配置され、第３のフィーチャ１１０７０Ｂは、トウ端部１１０１８とヒール端部１１０２２との間の凹部１１０８０の第３の領域１１０７８に沿って配置される。いくつかの実施形態では、１つまたは複数のフィーチャ１１０７０Ａ、Ｂ、Ｃは、凹部１１０８０の第１の壁１１０８３、第２の壁１１０８４、および／または凹面１１０８１上に配置することができる。
【００７４】
引き続き図６から図８を参照すると、ウェイト１１０８２は、ほぼ台形の形状を有してよい。他の実施形態では、ウェイト１１０８２は、円形、楕円形、三角形、台形、多角形、または凹部１１０８０内に嵌合するように構成された任意の他の適切な形状を有してよい。図示の実施形態では、調整可能な重み付けシステム１１０６６は、フィーチャ１１０７０Ａ、Ｂ、Ｃに取り外し可能に結合可能な１つのウェイト１１０８２を備える。他の実施形態では、調整可能な重み付けシステム１１０６６は、フィーチャ１１０７０Ａ、Ｂ、Ｃの数に対応する任意の数のウェイト１１０８２を備えてよい。他の実施形態では、調整可能な重み付けシステム１１０６６は、フィーチャ１１０７０Ａ、Ｂ、Ｃの数よりも多いまたは少ないウェイト１１０８２を備えてよい。例えば、調整可能な重み付けシステム１１０６６は、１つ、２つ、３つ、４つ、５つ、６つ、７つ、８つ、９つ、または１０個のウェイト１１０８２を備えてよい。
【００７５】
図示の実施形態では、ウェイト１１０８２は、ウェイト１１０８２を完全に貫通して延びる開口を備え、この開口は、ねじ付き締結具またはねじ締結具１１０８５を受け入れるような大きさおよび構成になっている。ねじ締結具１１０８５は、ウェイト１１０８２を通って対応するフィーチャ１１０７０Ａ、Ｂ、Ｃにねじ込まれ、こうすることで、ウェイト１１０８２を凹部１１０８０に固定することができる。いくつかの実施形態では、ウェイト１１０８２は、ねじ締結具１１０８５の上部を受け入れるための凹部または差込部を備えてよく、したがって、ねじ締結具１１０８５は、ウェイト１１０８２の外側部と同一平面に位置することができる。他の実施形態では、ウェイト１１０８２は、摩擦嵌め、スナップ嵌め機構、止めねじ、または任意の他の適切な構造によって、フィーチャ１１０７０ Ａ、Ｂ、Ｃに結合するように構成されてよい。
【００７６】
調節可能な重み付けシステム１１０６６が２つ以上のウェイト１１０８２を備える実施形態では、ウェイト１１０８２の各々は、同じ形状および大きさを有してよい。他の実施形態では、ウェイト１１０８２は、異なる形状および大きさを有していてよく、その結果、ウェイト１１０８２は、異なる質量を有する。さらに、いくつかの実施形態では、ウェイト１１０８２は、異なる材料を含んでよく、それにより、質量が異なってよい。例えば、１つのウェイト１１０８２は、タングステンなどの高密度材料を備えてよく、残りのウェイト１１０８２は、ポリウレタンまたは別のプラスチックなどの低密度材料を備えてよい。他の実施形態では、ウェイト１１０８２は、同じまたは異なる材料を備え、異なるサイズまたは体積を有してよく、その結果、質量が異なってよい。例えば、１つのウェイト１１０８２は、残りのウェイト１１０８２よりも大きな体積を有してよい。いくつかの実施形態では、ウェイト１１０８２の各々は、互いに体積が異なってもよく、それにより、質量が異なってよい。いくつかの実施形態では、ウェイト１１０８２は、体積および材料の両方が互いに異なってよい。いくつかの実施形態では、１１０８２が付されている構造のうちの１つは、ウェイトではなく、むしろ、フィーチャ１１０７０Ａ、Ｂ、Ｃのうちの１つにスナップ嵌合するか、またはそうでなければ結合する軽量（例えば、軽量プラスチック）カバーである。
【００７７】
いくつかの実施形態では、ウェイト１１０８２は、０．１から５０ｇの間で変化してよい。例えば、複数のウェイト１１０８２を有する実施形態では、１つまたは複数のウェイト１１０８２は、０から１０ｇの間、１０から２０ｇの間、２０から３０ｇの間、３０から４０ｇの間、４０から５０ｇの間で変化してよい。いくつかの実施形態では、第１のウェイト１１０８２は、０から１０ｇの間で変化してよく、第２のウェイト１１０８２は、１０から２０ｇの間で変化してよく、第３のウェイト１１０８２は、２０から３０ｇの間で変化してよい。他の実施形態では、第１のウェイト１１０８２は、１から５ｇの間で変化してよく、第２および第３のウェイト１１０８２は、５から３０ｇの間で変化してよい。他の実施形態では、第１のウェイト１１０８２は、４０から５０ｇの間で変化してよく、第２のウェイト１１０８２は、３０から４０ｇの間で変化してよく、第３のウェイトは、２０から３０ｇの間で変化してよい。他の実施形態では、第１および第２のウェイト１１０８２は、１から１０ｇの間で変化してよく、第３のウェイト１１０８２は、５から２５ｇの間で変化してよい。いくつかの実施形態では、第１のウェイト１１０８２は、８．５グラムの質量を有し、第２および第３のウェイト１１０８２は、それぞれ１．５グラムの質量を有する。他の実施形態では、第１のウェイト１１０８２は、１２グラムの質量を有し、第２および第３のウェイト１１０８２は、それぞれ１．５グラムの質量を有する。他の実施形態では、第１のウェイト１１０８２は、８．５グラムの質量を有し、第２および第３のウェイト１１０８２は、それぞれ０．７５グラムの質量を有する。他の実施形態では、第１のウェイトは、１０から２０ｇ、１０から２５ｇ、または１５から２５ｇの質量を有してよく、残りのウェイト（例えば、第２、第３、第４、第５のウェイト）は、０．２５から２．５ｇ、０．２５から５ｇ、０．２５から７．５ｇ、または０．２５から１０ｇの質量を有してよい。他の実施形態では、第１のウェイトは、１０ｇ、１１ｇ、１２ｇ、１３ｇ、１４ｇ、１５ｇ、１６ｇ、１７ｇ、１８ｇ、１９ｇ、２０ｇ、２１ｇ、２２ｇ、２３ｇ、２４ｇ、２５ｇ、２６ｇ、２７ｇ、２８ｇ、２９ｇまたは３０ｇの質量を有してよく、残りのウェイトは、１ｇ、２ｇ、３ｇ、４ｇ、５ｇ、６ｇ、７ｇ、８ｇ、９ｇまたは１０ｇの質量を有してよい。他の実施形態では、任意の数のウェイトが、同じ質量を有してもよく、または任意の数のウェイトが、０．１から５０ｇの間の様々な質量を有していてもよい。
【００７８】
引き続き図６を参照すると、図示された実施形態では、フィーチャ１１０７０Ａ、Ｂ、Ｃのうちの１つは、ウェイト１１０８２を受け入れてよく、残りのフィーチャ１１０７０Ａ、Ｂ、Ｃは、空であって覆われていないか、ウェイトを有さないか、または別の材料または構造で覆われていてもよい。図７に示すような他の実施形態では、フィーチャ１１０７０Ａ、Ｂ、Ｃの各々は、ウェイト１１０８２を受け入れてよい。いくつかの実施形態では、１つまたは複数のフィーチャ１１０７０Ａ、Ｂ、Ｃは、ウェイト１１０８２を受け入れてよい。いくつかの実施形態では、１つまたは複数のフィーチャ１１０７０Ａ、Ｂ、Ｃは、クラブヘッド１１０１０の外形を越えて延びておらず、その結果、フィーチャ１１０７０Ａ、Ｂ、Ｃが空のままで覆われていない場合であっても、フィーチャ１１０７０Ａ、Ｂ、Ｃ、および／または凹部１１０８０は、ゴルファーのスイングに干渉しない、またはゴルファーのスイングを妨害しない。
【００７９】
クラブヘッド１１０１０の所望の重心位置および／または慣性モーメントおよび／またはヒール／トウバイアスを達成するために、ウェイト１１０８２は、フィーチャ１１０７０Ａ、Ｂ、Ｃに戦略的に配置されてもよい。例えば、いくつかの実施形態では、より重いウェイト１１０８２が、トウ端部１１０１８とヒール端部１１０２２との間に位置するフィーチャ１１０７０Ｂに配置され、より軽いウェイトが、トウ端部１１０１８およびヒール端部１１０２２で、フィーチャ１１０７０Ａおよびフィーチャ１１０７０Ｃに配置される。このウェイト１１０８２の配置により、重心がクラブヘッド１１０１０の後端部１１０３４に向かって移動する一方、重心が中心に保たれる。いくつかの実施形態では、より重いウェイト１１０８２が、ヒール端部１１０２２においてフィーチャ１１０７０Ｃに配置されてよく、より軽いウェイト１１０８２が、トウ端部１１０１８の近く、およびトウ端部６３１８とヒール端部６３２２の間に位置する中央で、フィーチャ６２７０Ａ、Ｂに配置されてよい。このウェイト１１０８２の配置により、クラブヘッド１１０１０のヒール端部１１０２２に向かって重心を移動することができる。いくつかの実施形態では、より重いウェイト１１０８２が、トウ（またはトウ端部）１１０１８でフィーチャ１１０７０Ａに配置され、より軽いウェイト１１０８２が、ヒール端部１１０２２でフィーチャ６２７０Ｃ、およびトウ端部１１０１８とヒール端部１１０２２の間に位置するフィーチャ１１０７０Ｂに配置される。このウェイト１１０８２の配置により、クラブヘッド１１０１０のトウ端部１１０１８に向かって重心を移動することができる。多くの実施形態では、フィーチャ１１０７０Ａ、Ｂ、Ｃのうちの１つ以上は、等しい大きさおよび形状であってよく、これにより、１つのウェイトをフィーチャ１１０７０Ａ、Ｂ、Ｃのそれぞれに対して交換可能に使用してもよい。いくつかの実施形態では、１つまたは複数のフィーチャ１１０７０Ａ、Ｂ、Ｃ上は、異なる大きさおよび形状を有してよく、これにより、各フィーチャ１１０７０Ａ、Ｂ、Ｃは、自身に対応するウェイト１１０８２または１組のウェイト１１０８２を有してもよい。さらに、フィーチャ１１０７０ Ａ、Ｂ、Ｃにおけるウェイト１１０８２の位置を調整することにより、インパクト後にボールに与えられるスピンに影響を及ぼすこともできる。
【００８０】
図８を参照すると、いくつかの実施形態では、クラブヘッド１１０１０は、ソール１１０３０に配置された輪郭付けされた凹部１１０３１をさらに備えてよい。輪郭付けされた凹部１１０３１は、複数の離散した取り付け位置を有する凹部１１０８０よりも高い高さ（すなわち、小さい深さ）を備えてよい。輪郭付けされた凹部１１０３１は、凹部１１０８０からゴルフクラブヘッド１１０１０の打撃フェース３８に向かって延びる。
【００８１】
ゴルフクラブヘッド１１０１０の調整可能な重み付けシステム１１０６６は、調整可能な重み付けシステムを有さないクラブヘッドと比較して、クラブヘッドの慣性モーメントの大幅な低減、および低後方のクラブヘッドの重心位置を維持または防止する。ゴルフクラブヘッド１１０１０の調整可能な重み付けシステム１１０６６は、重み付けシステムが低プロファイルであること、および１つまたは複数のウェイトが周縁に位置にしていることに起因して、クラブヘッドの高い慣性モーメント、および低後方のクラブヘッドＣＧ位置を維持する。調整可能な重み付けシステム１１０６６を有するクラブヘッド１１０１０は、上述のクラブヘッド１００と同様のまたは同一のパラメータおよび測定値を有してよい。
【００８２】
図９および図１０は、上述のクラブヘッド１００と同様のクラブヘッド１２０１０を示す。クラブヘッド本体１２０１４を有するクラブヘッド１２０１０は、様々な状況下で所望の性能特性（例えば、寛容性、スピン、軌道）を達成するために、エンドユーザがクラブヘッド１２０１０の重心、および／または慣性モーメント、および／またはヒール／トウバイアスを変更するために調整される調整可能な重み付けシステム１２０６６を含む。クラブヘッド１２０１０は、多くの点でクラブヘッド１００および１１０１０と同様であってよく、同様または同一の番号は、同様または同一の要素を指す。調整可能な重み付けシステム１２０６６は、低プロファイルシステムであるため、調整可能な重み付けシステム１２０６６がないクラブヘッドと比較して、クラブヘッド１２０１０のＭＯＩを著しく移動または変化させない。さらに、低プロファイルの調整可能重み付けシステム１２０６６は、クラブヘッド１２０１０のＣＧの移動が主にヒール端部１２０２２からトウ端部１２０１８の方向に生じることを確実にし、クラブヘッド１２０１０全体のＣＧを低後方の位置に維持する。クラブヘッド１２０１０の重心位置およびＭＯＩは、上述のクラブヘッド１００および１１０１０の重心位置およびＭＯＩと類似または同一であってよい。
【００８３】
図９および図１０を参照すると、調整可能な重み付けシステム１２０６６は、クラブヘッド１２０１０のソール１２０３０または後縁部１２０７２に配置されたチャネルまたは凹部１２０１３を備えてよい。凹部１２０１３は、複数の離散した取り付け位置を備えてよい。複数の離散した取り付け位置は、締結具を受け入れ可能な突出体、開口、凹部またはポート、ノッチまたはタブまたはカットアウト領域、リブまたは溝、ペグ、フック、磁石、プログラマブル磁石、または任意の他の適切な取り付け手段を含む様々なフィーチャを備えてよい。図示の実施形態では、調整可能な重み付けシステム１２０６６は、３つの離散した取り付け位置を含む。３つの離散した取り付け位置は、フィーチャ１２０７０Ａ、１２０７０Ｂ、および１２０７０Ｃを備える。フィーチャ１２０７０Ａ、１２０７０Ｂ、および１２０７０Ｃは、上述のフィーチャのいずれを備えてもよい。取り付け位置および対応するフィーチャ１２０７０Ａ、１２０７０Ｂ、１２０７０Ｃは、１つまたは複数のウェイト１２０８２を受けるように構成される。
【００８４】
いくつかの実施形態では、凹部１２０８０は、溝、チャネル、および／または凹状トラックを画定し、この溝、チャネル、および／または凹状トラックは、スカート（または後縁部）１２０７２またはリア周縁部１０１３６内およびそれに沿って延び、トウ（またはトウ端部）１２０１８からヒール（またはヒール端部）１２０２０までほぼ弓形状で延びる。チャネル１２０１３は、第１の表面１２０７３（図９）と、第１の表面１２０７３の反対側に配置された第２の表面１２０７４（図９および図１０）と、第１の表面１２０７３と第２の表面１２０７４との間に垂直に延びる第３の表面１２０７５（図９および図１０）とによって画定される。多くの実施形態では、第１の表面１２０７３は、チャネル１２０１３の上壁を備え、第２の表面１２０７４は、チャネル１２０１３の下壁を備え、第３の表面１２０７５は、チャネル１２０１３の基部または底壁を備える。いくつかの実施形態では、第１の表面１２０７３は、第２の表面１２０７４に平行に、かつ第３の表面１２０７５に垂直に延びる。さらに、いくつかの実施形態では、凹部１２０８０の第１および第２の表面１２０７３、１２０７４は、クラブヘッド１２０１０のロフト平面に略垂直な方向に延び、凹部１２０８０の第３の表面１２０７５は、クラブヘッド１２０１０のロフト平面に略平行な方向に延びる。チャネル１２０１３は、第１の表面１２０７３、第２の表面１２０７４、および第３の表面１２０７５と直接交差する追加の端面１２０７９によって、部分的にさらに画定される。端面１２０７９は、追加的なサポートを提供してよく、および／またはウェイト１２０８２が当接することができる当接領域または縁部を提供してよい。いくつかの実施形態では、端面１２０７９によって、ウェイト１２０８２がクラブヘッドの外面１２０９０と面一に見えてもよい。面一表面は、スイング中の空気流の特性を改善し、クラブヘッド１２０１０の空気力学を改善することができる。
【００８５】
チャネル１２０１３は、第３の表面１２０７５に垂直な方向において第３の表面１２０７５からソール１２０３０まで測定される深さを含む。図示された実施形態では、チャネル１２０１３は、様々な深さを有してよく、ある領域において他の領域よりも深い（例えば、連続的または断続的に変化する深さを有してよい）。他の実施形態では、チャネル１２０１３の深さは、トウ端部１２０１８からヒール端部１２０２２までの長さに沿って、増加する、減少する、および／または一定である深さを有してよい。したがって、ウェイト１２０８２が、チャネル１２０１３のある領域においてクラブヘッド１２０１０に結合されると、ウェイト１２０８２は、チャネル１２０１３において面一に嵌合し、および／または第１および／または第２の表面１２０７３、１２０７４によって隠される場合がある。ウェイト１２０８２が、チャネル１２０１３の別の領域でクラブヘッド１２０１０に結合されると、ウェイト１２０８２の一部は、第１および／または第２の表面１２０７３、１２０７４を超えて突出する場合がある。他の実施形態では、ウェイト１２０８２は、任意の位置において、チャネル１２０１３内に奥まっていてよく、チャネル１２０１３内で面一に位置してよく、またはチャネル１２０１３を越えて突出してよい。
【００８６】
図９に示すように、チャネル１２０１３は、クラブヘッド１２０１０のトウ端部１２０１８にある第１の領域１２０７７と、クラブヘッド１２０１０のヒール端部１２０２２にある第２の領域１２０７６と、リア（または後端部）１２０３４に沿って、ヒール（またはヒール端部）１２０２２とトウ（またはトウ端部）１２０１８との間に配置された第３の領域１２０７８とを備えてよい。いくつかの実施形態では、第１の領域１２０７７、第２の領域１２０７６、および第３の領域１２０７８は、後縁部１２０７２の輪郭に平行であってよい。他の実施形態では、第１、第２、および／または第３の領域１２０７７、１２０７６、および／または１２０７８のいずれかが、後縁部１２０７２の輪郭に対して平行および／または傾斜していてよい。図９に示す一例では、第１の領域１２０７７および第２の領域１２０７６は、第３の領域１２０７８に向かって、後縁部１２０７２に対して上向きに傾斜してよく、第３の領域は、後縁部１２０７２の輪郭と平行である。この実施形態では、第１の領域１２０７７、第３の領域１２０７８、第２の領域１２０７６との間の推移は、滑らかであり、きついエッジを有さない。
【００８７】
いくつかの実施形態では、チャネル１２０１３の第１の領域１２０７７（同様に第２の領域１２０７６）は、浅い深さを有してよく、その結果、ウェイト１２０８２が第１の領域１２０７７に結合されると、ウェイト１２０８２の一部が第１の表面１２０７３および第２の表面１２０７４を越えて突出する。しかしながら、端面１２０７９のおかげで、ウェイト１２０８２は、クラブヘッド１２０１０のソール１２０３０の残りの部分、トウ端部１２０１８、またはヒール端部１２０２２と面一に見える場合がある。対照的に、第３の領域１２０７８は、より大きな深さを有してよく、その結果、ウェイト１２０８２が第３の領域１２０７８に結合されると、ウェイト１２０８２が第１の表面１２０７３および第２の表面１２０７４によって（例えば、図２のｙ軸５８に沿って見たとき）隠される。他の実施形態では、第１、第２、および第３の領域１２０７７、１２０７６、および１２０７８の深さは、同じ深さであってよい。さらに、第１および第３の領域１２０７７、１２７８間の推移領域と、第２および第３の領域１２０７６、１２０７８間の推移領域は、第１、第２、および第３の領域１２０７７、１２０７６、１２０７８の深さよりも浅くてよい。他の実施形態では、チャネル１２０１３は、図示されたものとは異なる数および位置の領域を含んでよい。例えば、いくつかの実施形態では、チャネル１２０１３は、ウェイト１２０８２が結合されると、ウェイト１２０８２が隠れてしまう２つ以上の領域を含んでよい。いくつかの実施形態では、チャネル１２０１３は、ウェイト１２０８２が結合されると、ウェイト１２０８２が隠れてしまう１つまたは複数の領域を、ヒール端部１２０２２および／またはトウ端部１２０１８に、含んでよい。いくつかの実施形態では、チャネル１２０１３は、ウェイト１２０８２が結合されると、ウェイト１２０８２の一部が第１の表面１２０７３および／または第２の表面１２０７４を超えて突出する１つまたは複数の領域を、リア（または後端部）１２０３４に含む。
【００８８】
多くの実施形態では、チャネル１２０１３は、浅い深さを有し、調整可能な重み付けシステム１２０６６が低プロファイルであることを保証する。例えば、いくつかの実施形態では、チャネル１２０１３は、０．２５インチの最大深さを有する。他の実施形態では、チャネル１２０１３は、１．５インチ、１．２５インチ、１．０インチ、０．９インチ、０．８インチ、０．７インチ、０．６インチ、０．５インチ、０．４インチ、０．３インチ、０．２インチ、または０．１インチの最大深さを有してよい。他の実施形態では、チャネル１２０１３の深さは、０．０５から０．２５インチの範囲、０．１から０．４インチの範囲、０．１から０．６インチの範囲、０．１から０．８インチの範囲、０．２から０．４インチの範囲、０．２から０．６インチの範囲、０．２から０．８インチの範囲、０．３から０．７インチの範囲、０．３から０．９インチの範囲、０．４から０．８インチの範囲、０．４から１．２インチの範囲、０．５から１．０インチの範囲、０．５から１．５インチの範囲、または１．０から１．５インチの範囲内で変化してよい。さらに、チャネル１２０１３は、第１の表面１２０７３と第２の表面１２０７４との間の距離として測定される幅を含む。図示の実施形態では、チャネル１２０１３は、一定の幅を含む。他の実施形態では、チャネル１２０１３は、増加する、減少する、および／または一定である幅を有してよい。多くの実施形態では、幅は、２．０インチ未満であってよい。例えば、いくつかの実施形態では、幅は、２．０インチ未満、１．７５インチ未満、１．５インチ未満、１．２５インチ、１．０インチ未満、０．９インチ未満、０．８インチ未満、０．７インチ未満、０．６インチ未満、０．５インチ未満、０．４インチ未満、０．３インチ未満、または０．２インチ未満であってよい。他の実施形態では、幅は、０．１から２．０インチ、０．１から０．５インチ、０．３から０．７インチ、０．５から０．９インチ、０．７から１．１インチ、０．９から１．３インチ、１．１から１．５インチ、１．３から１．７インチ、または１．５から２．０インチの間で変化してよい。
【００８９】
再び図９および１０を参照すると、チャネル１２０１３は、ウェイト１２０８２をクラブヘッド１２０１０に固定するための１つまたは複数の離散した取り付け位置を画定する１つまたは複数のフィーチャ１２０７０Ａ、Ｂ、Ｃを含んでよい。１つまたは複数の離散した取り付け位置を有するクラブヘッド１２０１０は、他の調整可能な重み付けシステムとは異なり、ウェイトを、クラブヘッド上の任意の位置、または無限の位置、または限定されない数の位置で結合することができる。図示の実施形態では、調整可能な重み付けシステム１２０６６は、３つのフィーチャ１２０７０Ａ、Ｂ、Ｃを備えてよい。いくつかの実施形態では、フィーチャ１２０７０Ａ、Ｂ、Ｃは、締結具を受け入れ可能な突出体、開口、凹部、ポート、ノッチ、タブ、切り欠き領域、リブ、溝、ペグ、フック、磁石、プログラマブル磁石、または任意の他の適切な取り付け手段のうちの１つであってよい。他の実施形態では、チャネル１２０１３は、１つ、２つ、３つ、４つ、５つ、６つ、７つ、８つ、９つ、または１０個のフィーチャ１２０７０を備えてよい。図９に示されるように、チャネル１２０１３の第３面１２０７５は、３つの離散した取り付け位置フィーチャ１２０７０Ａ、Ｂ、Ｃを備えてよい。フィーチャ１２０７０Ａ、Ｂ、Ｃは、上記のいずれのフィーチャであってよい。他の実施形態では、フィーチャ１２０７０Ａ、Ｂ、Ｃは、チャネル１２０１３の第１、第２、および／または第３の表面１２０７３、１２０７４、１２０７５に配置されてよい。
【００９０】
この例の目的のために、図示の実施形態では、フィーチャ１２０７０Ａ、Ｂ、Ｃは、ねじを受け入れるように構成される開口であってよい。ねじは、クラブヘッド１２０１０の密度以下の密度を有する材料から構成されてよい。図示されるように、フィーチャ１２０７０Ａ、Ｂ、Ｃは、第３の表面１２０７５に沿ってチャネル１２０１３内に配置されるため、１つまたは複数のウェイト１２０８２がチャネル１２０１３に沿ってクラブヘッド１２０１０に解放可能にまたは取り外し可能に結合されてもよい。より具体的には、第１のフィーチャ１２０７０Ａは、トウ端部１２０１８付近のチャネル１２０１３の第１の領域１２０７７に沿って配置され、第２のフィーチャ１２０７０Ｃは、ヒール端部１２０２２付近のチャネル１２０１３の第２の領域１２０７６に沿って配置され、第３のフィーチャ１２０７０Ｂは、トウ端部１２０１８とヒール端部１２０２２との間のチャネル１２０１３の第３の領域１２０７８に沿って配置される。いくつかの実施形態では、１つまたは複数のフィーチャ１２０７０Ａ、Ｂ、Ｃは、第１の壁１２０８３、第２の壁１２０８４、および／または凹部１１０８０の凹面１２０８１に配置されてよい。
【００９１】
引き続き図９および図１０を参照すると、ウェイト１２０８２は、チャネル１２０１３の形状に対応する概ね細長い楕円形状を有してよい。他の実施形態では、ウェイト１２０８２は、円形、楕円形、長方形、三角形、台形、多角形、またはチャネル１２０１３内に嵌合するように構成された任意の他の適切な形状を有してよい。図９に示す実施形態では、調整可能な重み付けシステム１２０６６は、任意の構成でフィーチャ１２０７０Ａ、Ｂ、Ｃに取り外し可能に結合することができる３つのウェイト１２０８２を備える。この実施形態では、ウェイト１２０８２の数は、フィーチャ１２０７０Ａ、Ｂ、Ｃの数に対応する。図１０に図示の実施形態では、調節可能な重み付けシステム１２０６６は、フィーチャ１２０７０Ａ、Ｂ、Ｃのいずれかに取り外し可能に結合することができる１つのウェイト１２０８２を備える。他の実施形態では、調節可能な重み付けシステム１２０６６は、フィーチャ１２０７０Ａ、Ｂ、Ｃの数よりも多いまたは少ない数のウェイト１２０８２を備えてよい。例えば、調節可能な重み付けシステム１２０６６は、１つ、２つ、３つ、４つ、５つ、６つ、７つ、８つ、９つ、または１０個のウェイト１２０８２を備えてよい。
【００９２】
図示の実施形態では、ウェイト１２０８２は、ウェイト１２０８２を完全に貫通して延びる開口を備え、この開口は、ねじ付き締結具またはねじ（図示せず）を受け入れるような大きさおよび構成を有する。ねじは、ウェイト１２０８２を通って対応するフィーチャ１２０７０Ａ、Ｂ、Ｃにねじ込まれ、ウェイト１２０８２をチャネル１２０１３に固定することができる。いくつかの実施形態では、ウェイト１２０８２は、ねじの上部を受け入れるための凹部または差込部を備えてよく、したがって、ねじは、ウェイト１２０８２の外側部と面一に位置することができる。他の実施形態では、ウェイト１２０８２は、ウェイト１２０８２を完全には貫通しないブラインド開口を備えてもよい。他の実施形態では、ウェイト１２０８２は、開口を有していなくてもよい。他の実施形態では、ウェイト１２０８２は、摩擦嵌め、スナップ嵌め機構、止めねじ、または任意の他の適切な構造によってフィーチャ１２０７０Ａ、Ｂ、Ｃに結合するように構成されてよい。
【００９３】
再び図９を参照すると、図示された実施形態では、フィーチャ１２０７０Ａ、Ｂ、Ｃの各々は、ウェイト１２０８２を受け入れることができる。他の実施形態では、フィーチャ１２０７０Ａ、Ｂ、Ｃのうちの１つ以上は、ウェイト１２０８２を受け入れることができる一方、残りのフィーチャ１２０７０Ａ、Ｂ、Ｃは、空であって覆われていないか、ウェイトを有していないか、または別の材料または構造で覆われている。いくつかの実施形態では、１つまたは複数のフィーチャ１２０７０Ａ、Ｂ、Ｃは、ウェイト１２０８２を受け入れる。いくつかの実施形態では、フィーチャ１２０７０Ａ、Ｂ、Ｃのうちの１つまたは複数は、クラブヘッド１２０１０の外形を越えて延びていないので、フィーチャ１２０７０Ａ、Ｂ、Ｃが空のままで覆われていない場合であっても、フィーチャ１２０７０Ａ、Ｂ、Ｃおよび／またはチャネル１２０１３は、ゴルファーのスイングと干渉しない、またはスイングを妨害しない。
【００９４】
図示の実施形態では、ウェイト１２０８２の各々は、同じ形状および大きさを有するように図示されている。他の実施形態では、ウェイト１２０８２は、形状および大きさが異なってよく、その結果、ウェイト１２０８２は、異なる質量を有する。さらに、いくつかの実施形態では、ウェイト１２０８２は、異なる材料を備えてよく、その結果、質量が異なる。例えば、ある１つのウェイト１２０８２は、タングステンなどの高密度材料を備えてよく、残りのウェイト１２０８２は、ポリウレタンまたは別のプラスチックなどのより低密度の材料を備えてよい。他の実施形態では、ウェイト１２０８２は、同じまたは異なる材料を備え、異なる大きさまたは体積を備えていてよく、その結果、質量が異なってもよい。例えば、１個のウェイト１２０８２は、残りのウェイト１２０８２よりも大きな体積を備えてよい。いくつかの実施形態では、ウェイト１２０８２の各々は、互いに体積が異なってよく、その結果、質量が異なる。いくつかの実施形態では、ウェイト１２０８２は、体積および材料の両方が互いに異なってよい。いくつかの実施形態では、１２０８２を付された構造のうちの１つは、ウェイトではなく、むしろ、１つまたは複数のフィーチャ１２０７０Ａ、Ｂ、Ｃにスナップ嵌合するか、またはそうでなければ結合する軽重量の（例えば、軽量プラスチック）カバーである。
【００９５】
いくつかの実施形態では、ウェイト１２０８２は、０．１から５０ｇの間で変化してよい。例えば、複数のウェイト１２０８２を有する実施形態では、ウェイト１２０８２のうちの１つまたは複数は、０から１０ｇの間、１０から２０ｇの間、２０から３０ｇの間、３０から４０ｇの間、４０から５０ｇの間で変化してよい。いくつかの実施形態では、第１のウェイト１２０８２は、０から１０ｇの間で変化してよく、第２のウェイト１２０８２は、１０から２０ｇの間で変化してよく、第３のウェイト１２０８２は、２０から３０ｇの間で変化してよく、第４のウェイト１２０８２は、３０から４０ｇの間で変化してよく、第５のウェイト１２０８２は、４０から５０ｇの間で変化してよい。他の実施形態では、第１のウェイト１２０８２は、１から５ｇの間で変化してよく、第２および第３のウェイト１２０８２は、５から３０ｇの間で変化してよい。他の実施形態では、第１および第２のウェイト１２０８２は、１から１０ｇの間で変化してよく、第３および第４のウェイト１２０８２は、５から２５ｇの間で変化してよい。いくつかの実施形態では、第１のウェイト１２０８２は、８．５グラムの質量を有し、第２および第３のウェイト１２０８２は、それぞれ１．５グラムの質量を有する。他の実施形態では、第１のウェイト１２０８２は、１２グラムの質量を有し、第２および第３のウェイト１２０８２は、それぞれ１．５グラムの質量を有する。他の実施形態では、第１のウェイト１２０８２は、８．５グラムの質量を有し、第２および第３のウェイト１２０８２は、それぞれ０．７５グラムの質量を有する。他の実施形態では、第１のウェイトは、１０から２０ｇ、１０から２５ｇ、または１５から２５ｇの質量を有してよく、残りのウェイト（例えば、第２、第３、第４、第５のウェイト）は、０．２５から２．５ｇ、０．２５から５ｇ、０．２５から７．５ｇ、または０．２５から１０ｇの質量を有してよい。他の実施形態では、第１のウェイトは、１０ｇ、１１ｇ、１２ｇ、１３ｇ、１４ｇ、１５ｇ、１６ｇ、１７ｇ、１８ｇ、１９ｇ、２０ｇ、２１ｇ、２２ｇ、２３ｇ、２４ｇ、２５ｇ、２６ｇ、２７ｇ、２８ｇ、２９ｇまたは３０ｇの質量を有してよく、残りのウェイトは、１ｇ、２ｇ、３ｇ、４ｇ、５ｇ、６ｇ、７ｇ、８ｇ、９ｇまたは１０ｇの質量を有してよい。他の実施形態では、任意の数のウェイトは、同じ質量を有してよい、または０．１から５０ｇの間の様々な質量を有してよい。
【００９６】
クラブヘッド１２０１０の所望の重心位置および／または慣性モーメントおよび／またはヒール／トウバイアスを達成するために、ウェイト１２０８２は、フィーチャ１２０７０Ａ、Ｂ、Ｃに戦略的に配置されてもよい。例えば、いくつかの実施形態では、より重いウェイト１２０８２が、トウ（またはトウ端部）１２０１８とヒール（またはヒール端部）１２０２２との間に位置するフィーチャ１２０７０Ｂに配置される一方、より軽いウェイトが、トウ（またはトウ端部）１２０１８およびヒール（またはヒール端部）１２０２２付近のフィーチャ１２０７０Ａ、Ｃに配置される、またはウェイトは、フィーチャ１２０７０Ａ、Ｃに配置されない。このウェイト１２０８２の配置は、クラブヘッド１２０１０の後端部１２０３４に向かって重心を移動しつつ、重心を中心に保つことができる。いくつかの実施形態では、より重いウェイト１２０８２が、ヒール（またはヒール端部）１２０２２付近のフィーチャ１２０７０Ｃに配置される一方、より軽いウェイト１２０８２が、トウ（またはトウ端部）１２０１８付近のフィーチャ１２０７０Ａ、およびトウ（またはトウ端端）１２０１８とヒール（またはヒール端部）１２０２２との間に位置するフィーチャ１２０７０Ｂに配置さる、またはウェイトは、フィーチャ１２０７０Ａ、Ｂに配置されない。このウェイト１２０８２の配置は、クラブヘッド１２０１０のヒール端部１２０２２に向かって重心を移動させることができる。いくつかの実施形態では、より重いウェイト１２０８２が、トウ（またはトウ端部）１２０１８付近のフィーチャ１２０７０Ａに配置される一方、より軽いウェイト１２０８２が、ヒール（またはヒール端部）１２０２２付近のフィーチャ１２０７０Ｃ、およびトウ（またはトウ端部）１２０１８とヒール（またはヒール端部）１２０２２との間に位置するフィーチャ１２０７０Ｂに配置される、またはウェイトは、フィーチャ１２０７０Ｃ、Ｂに配置されない。このウェイト１２０８２の配置は、クラブヘッド１２０１０のトウ端部１２０１８に向かって重心を移動させることができる。多くの実施形態では、フィーチャ１２０７０Ａ、Ｂ、Ｃの１つ以上は、同一の大きさおよび形状を有してよく、ウェイトは、フィーチャ１２０７０Ａ、Ｂ、Ｃのそれぞれにおいて交換可能に使用されてもよい。いくつかの実施形態では、１つまたは複数のフィーチャ１２０７０Ａ、Ｂ、Ｃは、異なる大きさおよび形状を有してよく、そのため、フィーチャ１２０７０Ａ、Ｂ、Ｃのそれぞれは、自身に対応するウェイト１２０８２またはウェイト１２０８２のセットを有する。
【００９７】
ゴルフクラブヘッド１２０１０の調整可能な重み付けシステム１２０６６は、調整可能な重み付けシステムを有さないクラブヘッドと比較して、クラブヘッドの慣性モーメントの大幅な減少および低後方のクラブヘッドの重心の位置を維持または防止する。ゴルフクラブヘッド１２０１０の調整可能な重み付けシステム１２０６６は、重み付けシステムが低プロファイルであること、および１つまたは複数のウェイトが周縁に配置されることにより、クラブヘッドの高い慣性モーメント、および低後方のクラブヘッドのＣＧ位置を維持する。調整可能な重み付けシステム１２０６６を有するクラブヘッド１２０１０は、上述のクラブヘッド１００と同様のまたは同一のパラメータおよび計測値を有してよい。
【００９８】
図１５および１６は、クラブヘッド本体６８１４を有するクラブヘッド６８１０を示す。クラブヘッド本体６８１４は、様々な状況下で所望の性能特性（例えば、寛容性、スピン、軌道）を達成するために、エンドユーザがクラブヘッド６８１０の重心および／または慣性モーメントおよび／またはヒール／バックバイアスを変更するために調整される調整可能な重み付けシステム６８６６を含む。クラブヘッド６８１０は、多くの点で、クラブヘッド１００、１１０１０、および１２０１０と同様であってよく、類似または同一の要素を類似または同一の番号で示す。調整可能な重み付けシステム６８６６は、低プロファイルシステムであるため、調整可能な重み付けシステム６８６６がないクラブヘッドと比較して、クラブヘッド６８１０の慣性モーメントを著しく移動または変化させない。さらに、低プロファイルの調整可能重み付けシステム６８６６は、クラブヘッド６８１０のＣＧの移動が、後端部６８３４において主に下向きに生じ、ヒール端部６８２２の方向へわずかに移動することを確実にする。それによって、クラブヘッド６８１０全体のＣＧを低後方の位置に維持することができる。クラブヘッド６８１０の重心位置およびＭＯＩは、上述のクラブヘッド１００の重心位置およびＭＯＩと類似または同一であってよい。
【００９９】
図１５および図１６を参照すると、調整可能な重み付けシステム６８６６は、凹部６８８０を備えてよい。凹部６８８０は、複数の離散した取り付け位置を含むように構成された凹面６８８１を備える。複数の離散した取り付け位置は、締結具を受け入れ可能な突出体、開口、凹部またはポート、ノッチまたはタブまたはカットアウト領域、リブまたは溝、ペグ、フック、磁石、プログラマブル磁石、または任意の他の適切な取り付け手段を含む様々なフィーチャを備えてよい。図示の実施形態では、調整可能な重み付けシステム６８６６は、３つの離散した取り付け位置を備える凹面６８８１を含む。３つの異なる取り付け位置は、それぞれフィーチャ６８７０Ａ、Ｂ、Ｃを含んでよい。フィーチャ６８７０Ａ、Ｂ、Ｃは、上述のフィーチャのいずれであってもよい。取り付け位置および対応するフィーチャ６８７０Ａ、Ｂ、Ｃは、１つまたは複数のウェイト６８８２を受け入れるように構成される。
【０１００】
再び図１５および１６を参照すると、凹部６８８０は、クラブヘッド６８１０のソールまたはボトムに沿って延びる溝、チャネル、および／または凹状トラックを画定する。凹部６８８０は、後端部６８３４（標準位置）からソール中心６８３２（低スピン位置）まで延び、そこからヒール端部６８２２（スライスに有効である直線飛行位置）まで、Ｖ字形状で延びる。このＶ字形状は、ゴルフクラブ本体６８１４のトウ端部６８１８よりもヒール端部６８２２の近くに位置する。凹部６８８０は、凹面６８８１がソール６８３０に彫り込まれるまたは嵌め込まれることによって、画定される。凹部６８８０は、凹部６８８０の全長にわたって延びる外壁（または第１の壁）６８８３と、凹部６８８０の全長にわたって延びる内壁（または第２の壁）６８８４と、をさらに含む。図示の実施形態では、第１の壁６８８３および第２の壁６８８４は、凹面６８８１および／またはソール６８３０に対して略垂直に延びる。他の実施形態では、第１の壁６８８３および第２の壁６８８４は、凹面６８８１および／またはソール６８３０の間を傾斜して延びてもよい。
【０１０１】
図１５および図１６に示すように、凹部６８８０は、クラブヘッド６８１０の後端部６８３４およびリア周縁１０１３６（標準位置）付近にある第１の領域６８７７と、クラブヘッド６８１０のソール中心６８３２（低スピン位置）付近にある第２の領域６８７６と、ヒール端部６８２２およびリア周縁１０１３６（スライスに有効な直線飛行位置）付近にある第３の領域６８７８と、を備える。しかしながら、これらの領域は、取り付け手段の存在がない限り、区分けされておらず、概して区別することができない。ウェイト６８８２が凹部６８８０のある領域でクラブヘッド６８１０に結合されると、ウェイト６８８２は、ソール６８３０と面一となる場合がある。ウェイト６８８２が凹部６８８０の別の領域でクラブヘッド６８１０に結合されると、ウェイト６８８２の一部がソール６８３０から外に突出したり、ウェイト６８８２の一部がソール６８３０から内側に沈んだり、または凹んだり、またはウェイト６８８２の一部がソール６８３０と面一になる場合がある。
【０１０２】
凹部６８８０は、凹面６８８１に垂直な方向における凹面６８８１からソール６８３０までの距離として測定される深さを含む。図示の実施形態では、凹部６８８０は、一定の深さを有する。他の実施形態では、凹部６８８０は、後端部６８３４からソール中心６８３２までの長さに沿って、および／またはソール中心６８３２からヒール端部６８２２までの長さに沿って、増加する、減少する、変化する、および／または一定である深さを有してよい。
【０１０３】
多くの実施形態では、凹部６８８０は浅い深さを有し、これにより調整可能な重み付けシステム６８６６が低プロファイルであることを保証する。凹部６８８０は、第１の領域６８７７と第２の領域６８７６との間、および／または第２の領域６８７６と第３の領域６８７８との間において、増加する、減少する、変化する、および／または一定である深さを有してよい。例えば、いくつかの実施形態では、凹部６８８０は、０．５０インチの最大深さを有する。他の実施形態では、凹部６８８０は、１．５インチ、１．２５インチ、１．０インチ、０．９インチ、０．８インチ、０．７インチ、０．６インチ、０．５インチ、０．４インチ、０．３インチ、０．２インチ、または０．１インチの最大深さを有してよい。他の実施形態では、凹部６８８０の深さは、０．０５から０．２５インチの範囲、０．１から０．４インチの範囲、０．１から０．６インチの範囲、０．１から０．８インチの範囲、０．２から０．４インチの範囲、０．２から０．６インチの範囲、０．２から０．８インチの範囲、０．３から０．７インチの範囲、０．３から０．９インチの範囲、０．４から０．８インチの範囲、０．４から１．２インチの範囲、０．５から１．０インチの範囲、０．５から１．５インチの範囲、または１．０から１．５インチの範囲内で変化してよい。
【０１０４】
また、凹部６８８０は、断面形状および断面積を有する。いくつかの実施形態では、チャネル６８１３の断面形状は、円筒形、円形、長方形、三角形、多角形、または台形を含んでよい。凹部６８８０は、第１の領域６８７７と第２の領域６８７６との間、および／または第２の領域６８７６と第３の領域６８７８との間で、異なるおよび／または一定の断面形状を有してよい。凹部６８８０は、第１の領域６８７７と第２の領域６８７６との間、および／または第２の領域６８７６と第３の領域６８７８との間で、増加する、減少する、変化する、および／または一定である断面積を有してよい。
【０１０５】
さらに、凹部６８８０は、第１の壁６８８３と第２の壁６８８４との間の距離として測定される幅を含む。いくつかの実施形態では、第１の領域６８７７と第２の領域６８７６との間の幅は、第２の領域６８７６と第３の領域６８７８との間の幅と異なる。いくつかの実施形態では、第１の領域６８７７と第２の領域６８７６との間の幅は、第２の領域６８７６と第３の領域６８７８との間の幅よりも大きい。他の実施形態では、第１の領域６８７７と第２の領域６８７６との間の幅は、第２の領域６８７６と第３の領域６８７８との間の幅よりも小さい。他の実施形態では、凹部６８８０は、第１の領域６８７７と第２の領域６８７６との間、および／または第２の領域６８７６と第３の領域６８７８との間で、増加する、減少する、変化する、および／または一定である幅を有してよい。多くの実施形態では、幅は、２．０インチ未満であってよい。例えば、いくつかの実施形態では、幅は、２．０インチ未満、１．７５インチ未満、１．５インチ未満、１．２５インチ未満、１．０インチ未満、０．９インチ未満、０．８インチ未満、０．７インチ未満、０．６インチ未満、０．５インチ未満、０．４インチ未満、０．３インチ未満、または０．２インチ未満であってよい。他の実施形態では、幅は、０．１から０．５インチの範囲、０．３から０．７インチの範囲、０．５から０．９インチの範囲、０．７から１．１インチの範囲、０．９から１．３インチの範囲、１．１から１．５インチの範囲、１．３から１．７インチの範囲、または１．５から２．０インチの間で変化してよい。
【０１０６】
再び図１５および１６を参照すると、凹部６８８０は、ウェイト６８８２をクラブヘッド６８１０に固定するための離散した取り付け位置を画定する１つまたは複数のフィーチャ６８７０Ａ、Ｂ、Ｃを含んでよい。１つまたは複数の離散した取り付け位置を有するクラブヘッド６８１０は、他の調整可能な重み付けシステムとは異なり、ウェイトを、クラブヘッド上の任意の位置、または無限の位置、または限定されない数の位置に連結させることができる。図１５および図１６を参照すると、図示の実施形態では、凹部６８８０は、３つのフィーチャ６８７０Ａ、Ｂ、Ｃを含む。フィーチャ６８７０Ａ、Ｂ、Ｃは、ねじ付き締結具またはねじ締結具６８８５を受け入れるように構成された開口として示されている。ねじ締結具６８８５の重量は、フィーチャ６８７０Ａ、Ｂ、Ｃを形成するために除去された重量以下であってよい。さらに、ねじ締結具６８８５は、クラブヘッド本体の材料の密度以下の密度を有する材料を含んでよい。ねじ締結具６８８５は、フィーチャ６８７０Ａ、Ｂ、Ｃにウェイト６８８２を取り付けるように構成される。他の実施形態では、フィーチャ６８７０Ａ、Ｂ、Ｃは、締結具を受け入れ可能な突出体、開口、凹部、ポート、ノッチ、タブ、切り欠き領域、リブ、溝、ペグ、フック、磁石、プログラマブル磁石、または任意の他の適切な取り付け手段であってよい。図示の実施形態では、調整可能な重み付けシステム６８６６は、３つのフィーチャ６８７０Ａ、Ｂ、Ｃを含む。他の実施形態では、凹部６８８０は、１つ、２つ、３つ、４つ、５つ、６つ、７つ、８つ、９つまたは１０個のフィーチャ６８７０を含む任意の数のフィーチャを備えてよい。
【０１０７】
図示されるように、フィーチャ６８７０Ａ、Ｂ、Ｃは、凹面６８８１に沿って凹部６８８０内に配置されているため、１つまたは複数のウェイト６８８２は、凹部６８８０に沿ってクラブヘッド６８１０に解放可能にまたは取り外し可能に結合されてよい。より具体的には、第１のフィーチャ６８７０Ａは、後端部６８３４付近の凹部６８８０の第１の領域６８７７に配置され、第２のフィーチャ６８７０Ｂは、ソール中心６８３２付近の凹部６８７６の第２の領域６８７６に配置され、第３のフィーチャ６８７０Ｃは、ヒール端部６８２２付近の凹部６８８０の第３の領域６８７８に配置される。他の実施形態では、１つまたは複数のフィーチャ６８７０Ａ、Ｂ、Ｃのは、凹部６８８０の第１の壁６８８３、第２の壁６８８４、および／または凹面６８８１に配置されてよい。
【０１０８】
引き続き図１５および図１６を参照すると、ウェイト６８８２は、略長方形の形状を有する。他の実施形態では、ウェイト６８８２は、円形、楕円形、三角形、台形、多角形、または凹部６８８０内に嵌合するように構成された任意の他の適切な形状を有してよい。図示の実施形態では、調整可能な重み付けシステム６８６６は、１つのウェイト６８８２を備える。ウェイト６８８２は、０．１から５０ｇの間で変化してよい。いくつかの実施形態では、ウェイト６８８２は、０．１から０．５ｇ、０．５から１ｇ、１から５ｇ、５から１０ｇ、１０から２０ｇ、２０から３０ｇ、３０から４０ｇ、４０から５０ｇの間で変化してよい。例えば、ウェイト６８８２は、０．１ｇ、０．５ｇ、１ｇ、２ｇ、３ｇ、４ｇ、５ｇ、６ｇ、７ｇ、８ｇ、９ｇ、１０ｇ、２０ｇ、３０ｇ、４０ｇ、または５０ｇであってよい。他の実施形態では、調整可能な重み付けシステム６８６６は、フィーチャ６８７０Ａ、Ｂ、Ｃの数に対応する３つのウェイト６８８２を備えてよい。他の実施形態では、調整可能な重み付けシステム６８６６は、フィーチャ６８７０Ａ、Ｂ、Ｃの数よりも多いまたは少ない数のウェイト６８８２を備えてもよい。例えば、調整可能な重み付けシステム６８６６は、１つ、２つ、３つ、４つ、５つ、６つ、７つ、８つ、９つ、または１０個のウェイト６８８２を備えてよい。
【０１０９】
図示の実施形態では、ウェイト６８８２は、ウェイト６８８２を完全に貫通して延びる開口を備え、この開口は、ねじ付き締結具またはねじ締結具６８８５を受け入れるような大きさおよび構成になっている。ねじ締結具６８８５は、ウェイト６８８２を通って対応するフィーチャ６８７０Ａ、Ｂ、Ｃにねじ込まれ、これによって、ウェイト６８８２を凹部６８８０に固定することができる。いくつかの実施形態では、ウェイト６８８２は、ねじ締結具６８８５の上部を受け入れるための凹部または差込部を備えてよく、これにより、ねじ締結具６８８５は、ウェイト６８８２の外側部と面一に位置することができる。他の実施形態では、ウェイト６８８２は、摩擦嵌め、スナップ嵌め機構、止めねじ、または任意の他の適切な構造によってフィーチャ６８７０Ａ、Ｂ、Ｃに結合するように構成されてよい。
【０１１０】
調整可能な重み付けシステム６８６６が２つ以上のウェイト６８８２を備える実施形態では、ウェイト６８８２の各々は、同じ形状および大きさを有してよい。他の実施形態では、ウェイト６８８２は、異なる形状および大きさを有してよく、その結果、ウェイト６８８２は、異なる質量を有する。さらに、いくつかの実施形態では、ウェイト６８８２は、異なる材料から作製されており、その結果、質量が異なる。例えば、１つのウェイト６８８２は、タングステンなどの高密度材料から作製されてもよく、残りのウェイト６８８２は、ポリウレタンまたは別のプラスチックなどのより低密度の材料から作製されてもよい。他の実施形態では、ウェイト６８８２は、同じまたは異なる材料を備え、異なる大きさまたは体積を有してよく、その結果、質量が異なる。例えば、１つのウェイト６８８２は、残りのウェイト６８８２よりも大きな体積を有してよい。いくつかの実施形態では、ウェイト６８８２の各々は、互いに異なる体積を有してよく、その結果、質量が異なってよい。いくつかの実施形態では、ウェイト６８８２は、体積および材料の両方が互いに異なってもよい。いくつかの実施形態では、６８８２を付された構造のうちの１つは、ウェイトではなく、むしろ、フィーチャ６８７０Ａ、Ｂ、Ｃのうちの１つにスナップ嵌合するか、そうでなければ結合する軽量（例えば、軽量プラスチック）カバーである。
【０１１１】
いくつかの実施形態では、ウェイト６８８２は、０．１から５０ｇの間で変化してもよい。例えば、複数のウェイト６８８２を有する実施形態では、ウェイト６８８２のうちの１つまたは複数は、０から１０ｇの間、１０から２０ｇの間、２０から３０ｇの間、３０から４０ｇの間、４０から５０ｇの間で変化してもよい。いくつかの実施形態では、第１のウェイト６８８２は、０から１０ｇの間で変化してもよく、第２のウェイト６８８２は、１０から２０ｇの間で変化してもよく、第３のウェイト６８８２は、２０から３０ｇの間で変化してもよい。他の実施形態では、第１のウェイト６８８２は、１から５ｇの間で変化してもよく、第２および第３のウェイト６８８２は、５から３０ｇの間で変化してもよい。他の実施形態では、第１および第２のウェイト６８８２は、１から１０ｇの間で変化してもよく、第３および第４のウェイト６８８２は、５から２５ｇの間で変化してもよい。いくつかの実施形態では、第１のウェイト６８８２は、８．５グラムの質量を有し、第２および第３のウェイト６８８２はそれぞれ、１．５グラムの質量を有する。他の実施形態では、第１のウェイト６８８２は、１２グラムの質量を有し、第２および第３のウェイト６８８２はそれぞれ、１．５グラムの質量を有する。他の実施形態では、第１のウェイト６８８２は、８．５グラムの質量を有し、第２および第３のウェイト６８８２はそれぞれ、０．７５グラムの質量を有する。他の実施形態では、第１のウェイトは、１０から２０ｇ、１０から２５ｇ、または１５から２５ｇの質量を有してよく、残りのウェイト（例えば、第２および第３のウェイト）は、０．２５から２．５ｇ、０．２５から５ｇ、０．２５から７．５ｇ、０．２５から１０ｇの質量を有してよい。他の実施形態では、第１のウェイトは、１０ｇ、１１ｇ、１２ｇ、１３ｇ、１４ｇ、１５ｇ、１６ｇ、１７ｇ、１８ｇ、１９ｇ、２０ｇ、２１ｇ、２２ｇ、２３ｇ、２４ｇ、２５ｇ、２６ｇ、２７ｇ、２８ｇ、２９ｇまたは３０ｇの質量を有してよく、残りのウェイトは、１ｇ、２ｇ、３ｇ、４ｇ、５ｇ、６ｇ、７ｇ、８ｇ、９ｇまたは１０ｇの質量を有してよい。他の実施形態では、任意の数のウェイトが、同じ質量を有してもよい、または０．１から５０ｇの間の様々な質量を有していてもよい。
【０１１２】
引き続き図１５および図１６を参照すると、図示された実施形態では、１つまたは複数のフィーチャ６８７０Ａ、Ｂ、Ｃは、ウェイト６８８２を受け入れる一方、残りのフィーチャ６８７０Ａ、Ｂ、Ｃは、空で覆われていないか、ウェイトを有さないか、または別の材料または構造で覆われている。他の実施形態では、フィーチャ６８７０Ａ、Ｂ、Ｃの各々は、ウェイト６８８２を受け入れる。いくつかの実施形態では、１つまたは複数のフィーチャ６８７０Ａ、Ｂ、Ｃは、ウェイト６８８２を受け入れてよい。いくつかの実施形態では、１つまたは複数のフィーチャ６８７０Ａ、Ｂ、Ｃは、クラブヘッド６８１０の外形を越えて延びておらず、したがって、フィーチャ６８７０Ａ、Ｂ、Ｃが空のままで覆われていない場合であっても、フィーチャ６８７０Ａ、Ｂ、Ｃおよび／または凹部６８８０がゴルファーのスイングと干渉しない、またはスイングを妨害しない。
【０１１３】
クラブヘッド６８１０の所望の重心位置および／または慣性モーメントおよび／またはヒール／バックバイアスを達成するために、ウェイト６８８２は、フィーチャ６８７０Ａ、Ｂ、Ｃに戦略的に配置されてよい。例えば、いくつかの実施形態では、より重いウェイト６８８２が、後端部６８３４付近に位置するフィーチャ６８７０Ａに配置される一方、より軽いウェイトが、ソール中心６８３２およびヒール端部６８２２付近のフィーチャ６８７０Ｂ、Ｃに配置される。このウェイト６８８２の配置により、クラブヘッド６８１０の後端部６８３４に向かって重心を移動させることができる。
【０１１４】
いくつかの実施形態では、より重いウェイト６８８２が、ヒール端部６８２２付近のフィーチャ６８７０Ｃに配置される一方、より軽いウェイト６８８２が、後端部６８３４付近のフィーチャ６２７０Ａおよびソール中心６８３２付近に位置するフィーチャ６８７０Ｂに配置される。このウェイト６８８２の配置により、クラブヘッド６８１０のヒール端部６８２２に向かって重心を移動させることができる。
【０１１５】
いくつかの実施形態では、より重いウェイト６８８２が、ソール中心６８３２に位置するフィーチャ６８７０Ｂに配置される一方、より軽いウェイト６８８２が、後端部６８３４付近のフィーチャ６８７０Ａ、およびヒール端部６８２２付近のフィーチャ６８７０Ｃに配置される。このウェイト６８８２の配置により、クラブヘッド６８１０の中心に重心を位置付けることができる。
【０１１６】
多くの実施形態において、フィーチャ６８７０Ａ、Ｂ、Ｃのうちの１つ以上は、同一の大きさおよび形状であり、したがって、ウェイトは、フィーチャ６８７０Ａ、Ｂ、Ｃの各々に対して交換可能に使用されてよい。いくつかの実施形態において、１つまたは複数のフィーチャ６８７０Ａ、Ｂ、Ｃは、異なる大きさおよび形状を有してよく、したがって、フィーチャ６８７０Ａ、Ｂ、Ｃの各々は、自身に対応するウェイト６８８２、または一組のウェイト６８８２を有する。さらに、フィーチャ６８７０Ａ、Ｂ、Ｃにおけるウェイト６８８２の位置調整により、インパクト後にボールに与えられるスピンに影響を及ぼすこともできる。
【０１１７】
ゴルフクラブヘッド６８１０の調整可能な重み付けシステム６８６６は、調整可能な重み付けシステムを有さないクラブヘッドと比較して、クラブヘッドの慣性モーメントの著しい減少、および、低後方のクラブヘッドの重心位置を維持または防止する。ゴルフクラブヘッド６８１０の調整可能な重み付けシステム６８６６は、重み付けシステムが低プロファイルであること、および１つまたは複数のウェイトが周縁位置にあることに起因して、クラブヘッドの高い慣性モーメント、および低後方のクラブヘッドのＣＧ位置を維持する。
【０１１８】
図１１および１２は、上述のゴルフクラブヘッド１００と同様のクラブヘッド１３０１０を示し、同様または同一の番号により、同様または同一の要素を示す。クラブヘッド本体１３０１４を有するクラブヘッド１３０１０は、ケーブル１３０６９と、テンショナ１３０６７と、を備える調整可能な重み付けシステム１３０６６を含み、テンショナ１３０６７は、様々な状況下で、所望の性能特性（例えば、寛容性、スピン、軌道）を達成するために、エンドユーザがクラブヘッド１３０１０の重心および／または慣性モーメントおよび／またはヒール／トウバイアスを変更するために調整可能である。調整可能な重み付けシステム１３０６６は、低プロファイルシステムであるため、調整可能な重み付けシステム１３０６６を含まないクラブヘッドと比較して、クラブヘッド１３０１０のＭＯＩを著しく移動または変化させない。さらに、低プロファイルの調整可能な重み付けシステム１３０６６は、クラブヘッド１３０１０のＣＧの移動が、主にヒール端部１３０２２からトウ端部１３０１８の方向に生じることを確実にし、クラブヘッド１３０１０全体のＣＧを低後方の位置に維持することができる。クラブヘッド１３０１０の重心位置およびＭＯＩは、上述のクラブヘッド１００の重心位置およびＭＯＩと類似または同一であってよい。
【０１１９】
調整可能な重み付けシステム１３０６６は、クラブヘッド１３０１０のソール１３０３０に配置される。図１１および図１２に示すように、ソール１３０３０は、凹面１３０８１を有する凹部１３０８０を備える。凹部１３０８０は、略長方形状であってよく、トウ端部１３０１８およびリア周縁１０１３６の付近からヒール端部１３０２２およびリア周縁１０１３６の付近まで延びるリア１３０２３付近に配置されてよい。図示の実施形態では、凹部１３０８０は、打撃フェース３８に略平行に延びる。他の実施形態では、凹部１３０８０は、ソール１３０３０の任意の場所に配置され、任意の形状であってよい。凹部１３０８０は、壁１３０８３によって、ソール１３０３０の外面１３０７４から凹んでいる。図示の実施形態では、壁１３０８３は、凹面１３０８１またはソール１３０３０の外面１３０７４に対して垂直である。他の実施形態では、壁１３０８３は、凹面１３０８１またはソール１３０３０の外面１３０７４に対して垂直でない角度で上向きに傾斜、または下向きに傾斜してよい。図１１および図１２に示す実施形態では、壁１３０８３は、凹部１３０８０の周縁全体に接してよい。他の実施形態では、壁１３０８３は、凹部１３０８０の一部に接してよい。
【０１２０】
多くの実施形態では、壁１３０８３は、クラブヘッド１３０１０の打撃フェース３８に向かって配置された第１の壁部１３０８９と、第１の壁部１３０８９に対向してクラブヘッド１３０１０のリア端部１３０２３に向かって配置された第２の壁部１３０９０と、クラブヘッド１３０１０のトウ端部１３０１８に向かって配置された第１の端壁１３０９１と、第１の端壁１３０９１に対向してクラブヘッド１３０１０のヒール端部１３０２２に向かって配置された第２の端壁１３０９２と、を含んでよい。概して、凹面１３０８１は、クラブヘッド１３０１０のソール１３０３０に略平行に延びる一方、第１および第２の壁部１３０８３、１３０８４、および第１および第２の端壁１３０９１、１３０９２は、凹面１３０８１および／またはソール１３０３０に略垂直に延びる。他の実施形態では、第１および第２の壁部１３０８３、１３０８４、および／または、第１および第２の端壁１３０９１、１３０９２は、凹面１３０８１とソール１３０３０との間で、垂直でない角度で延びてもよい。
【０１２１】
図１１および図１２に示すような多くの実施形態では、ソール１３０３０は、ソール１３０３０の外面１３０７４からクラブヘッド本体内および凹部１３０８０内へ延びる１つまたは複数の開口１３０８５をさらに備えてよい。いくつかの実施形態では、ソール１３０３０は、１つ、２つ、３つ、４つ、または５つの開口１３０８５を備えてよい。図１１および図１２に示す実施形態では、ソール１３０３０は、２つの開口１３０８５を備える。図示の実施形態では、開口１３０８５は、凹部１３０８０の両側に配置される。開口１３０８５は、ソールの外面１３０７４に配置され、調整可能な重み付けシステムの凹部１３０８０内へ延びる。図示の実施形態では、開口１３０８５は、凹部１３０８０の第１および第２の端壁１３０９１、１３０９２内へ延びる。開口１３０８５は、調整可能な重み付けシステム１３０６６のテンショナ１３０６７を収容するように構成される。図１３に示すように、開口１３０８５は、凹部１３０８０に隣接するねじ端部１３０８６と、ソール１３０３０の外面１３０７４に隣接するヘッドまたは受け端部１３０８７と、を備える。
【０１２２】
図示の実施形態では、凹部１３０８０は、複数の離散した取り付け位置をさらに備えてよい。複数の離散した取付け位置は、締結具、ノッチまたはタブまたはカットアウト領域、リブまたは溝、ペグ、フック、磁石、プログラマブル磁石、または任意の他の適切な取付け手段を受け入れ可能な突出体、開口、凹部またはポートを含む様々なフィーチャ１３０７０を備えてよい。フィーチャ１３０７０は、１つまたは複数のウェイト１３０８２をクラブヘッド１３０１０に固定するための離散した取り付け位置を画定する。１つまたは複数の離散した取り付け位置を有するクラブヘッド１３０１０は、他の調整可能な重み付けシステムとは異なり、ウェイトを、クラブヘッド上の任意の位置、または無限の位置、または限定されない数の位置に連結できる。図示の実施形態では、フィーチャ１３０７０は、凹部１３０８０から打撃フェース３８に対して略垂直に延びる直線壁状の突起またはリブ１３０７０である。他の実施形態では、フィーチャ１３０７０は、凹部１３０８０から任意の角度で延びる突起であってよく、任意の形状（例えば、円形ペグ、砂時計形ペグ、正方形ペグなど）であってもよい。
【０１２３】
図１１および図１２に示すように、凹部１３０８０は、５つのフィーチャ１３０７０を備えている。具体的には、トウ端部１３０１８付近の第１のフィーチャ１３０７０Ａと、ヒール端部１３０２２付近の第２のフィーチャ１３０７０Ｅと、第１のフィーチャ１３０７０Ａと第２のフィーチャ１３０７０Ｅとの間の第３のフィーチャ１３０７０Ｃと、第１のフィーチャ１３０７０Ａと第３のフィーチャ１３０７０Ｃとの間の第４のフィーチャ１３０７０Ｂと、第２のフィーチャ１３０７０Ｅと第３のフィーチャ１３０７０Ｃとの間の第５のフィーチャ１３０７０Ｄと、を備える。他の実施形態では、凹部１３０８０は、任意の数のフィーチャ１３０７０を備えてよい。例えば、凹部１３０８０は、１つ、２つ、３つ、４つ、５つ、６つ、７つ、または８つのフィーチャ１３０７０を備えてもよい。いくつかの実施形態では、フィーチャ１３０７０の各々は、互いに略等距離に離間される。他の実施形態では、フィーチャ１３０７０の各々は、互いに任意の距離だけ離間されてよい。いくつかの実施形態では、フィーチャ１３０７０は、フィーチャ１３０７０それぞれの間に正方形の開口（またはポケット）を形成する。他の実施形態では、フィーチャ１３０７０は、フィーチャ１３０７０それぞれの間に任意の形状のポケット（例えば、多角形、または少なくとも１つの曲面を有する任意の形状）を形成してよい。
【０１２４】
ウェイト１３０８２は、凹部１３０８０内のフィーチャ１３０７０によって受け入れられるように構成される。ウェイト１３０８２の各々は、凹部１３０８０の断面形状に対応する一般的な断面形状および大きさ（例えば、円筒形、正方形、長方形、台形など）を有する。図１１および図１２に示すように、ウェイト１３０８２は、長方形の断面形状を有してよい。ウェイト１３０８３は、ウェイト１３０８３の底面に配置されたノッチ１３０８４をさらに備えてよい。ウェイト１３０８３のノッチ１３０８４は、凹部１３０８０内のフィーチャ１３０７０と嵌合するように構成される。多くの実施形態では、ウェイト１３０８２のノッチ１３０８４の形状は、凹部１３０８０内のフィーチャ１３０７０の形状に対応する。
【０１２５】
ウェイト１３０８２は、調整可能な重み付けシステム１３０６６のケーブル１３０６９を収容するように構成された貫通孔１３０７１をさらに備えてよい。ウェイト１３０８２が凹部１３０８０内に配置された状態において、貫通孔１３０７１は、クラブヘッド１３０１０のヒール端部１３０２２からトウ端部１３０１８の方向にウェイト１３０８２を貫通していてよい。組み付けられた状態では、貫通孔１３０７１は、凹面１３０８１に平行である。他の実施形態では、ウェイト１３０８２は、貫通孔１３０７１を有していなくてもよい。これらの実施形態または他の実施形態では、ウェイト１３０８２は、ケーブル１３０６９を受け入れるように構成され、ウェイト１３０８２の上面に配置された溝（図示省略）を備えてもよい。
【０１２６】
ウェイト１３０８２は、質量をさらに備える。ウェイト１３０８２の質量は、３から３５グラム、３から１２グラム、５から１８グラム、８から２３グラム、１２から２５グラム、１８から２７グラム、２０から３０グラム、２５から３３グラム、または２８から３５グラムの範囲であってよい。例えば、ウェイト１３０８２は、１グラム、２グラム、３グラム、６グラム、９グラム、１２グラム、１５グラム、１８グラム、２１グラム、２４グラム、２７グラム、３０グラム、３３グラム、または３５グラムであってよい。クラブヘッド１３０１０が複数のウェイト１３０８２を含む実施形態では、ウェイト１３０８２は、すべて同じ質量、または、すべて異なる質量を有してよい。例えば、クラブヘッド１３０１０は、３つのウェイト１３０８２を備えており、第１のウェイト１３０８２は、１２グラムの質量を有し、第２および第３のウェイト１３０８２は両方とも５グラムの質量を有する。別の例では、クラブヘッド１３０１０は、５つのウェイト１３０８２を備えており、第１のウェイト１３０８２は、２０グラムの質量を有し、第２のウェイト１３０８２は、１５グラムの質量を有し、第３のウェイト１３０８２は、１０グラムの質量を有し、第４のウェイト１３０８２は、７グラムの質量を有し、第５のウェイト１０８２は、３グラムの質量を有する。
【０１２７】
テンショナ１３０６７およびケーブル１３０６９を備える調整可能な重み付けシステム１３０６６は、ウェイト１３０８２をクラブヘッド１３０１０に結合するように構成される。調整可能な重み付けシステム１３０６６のテンショナ１３０６７は、締結具１３０６７Ａと、ワッシャ１３０６７Ｂと、を備える。図１４に示すいくつかの実施形態では、テンショナ１３０６７は、クラッチブレーキケーブルアジャスタであってよく、ノッチ１３０６８が、締結具１３０６７Ａ（締結具１３０６７Ａの全長にわたって延びる）およびワッシャ１３０６７Ｂに切り込まれている。締結具１３０６７Ａおよびワッシャ１３０６７Ｂのノッチ１３０６８により、ケーブル１３０６９が締結具１３０６７に結合される。他の実施形態では、テンショナ１３０６７は、ケーブル１３０６９を受け入れるように構成されたノッチを有する任意のタイプの締結具およびワッシャであってよい。
【０１２８】
図１２および図１３に示すように、テンショナ１３０６７は、ソール１３０３０の開口１３０８５内に受け入れられるように構成されている。テンショナ１３０６７は、開口の受け端部１３０８７に挿入され、締結具１３０６７Ａのねじ端部が、開口１３０８５のねじ端部１３０８６と嵌合し、ワッシャ１３０６７Ｂは、開口の受け端部１３０８７に留まる。いくつかの実施形態では、調整可能な重み付けシステム１３０６６は、２つ以上のテンショナ１３０６７を備えてよい。例えば、調整可能な重み付けシステム１３０６６は、１つ、２つ、３つ、または４つのテンショナ１３０６７を備えてよい。多くの実施形態では、テンショナ１３０６７の数は、テンショナ１３０６７を受け入れるように構成された開口１３０８５の数に対応する。例えば、図１１および図１２に示すように、ソール１３０３０は、第１のテンショナ１３０６７を受け入れるように構成されたトウ端部１３０１８付近にある第１の開口１３０８５と、第２のテンショナ１３０６７を受け入れるように構成されたヒール端部１３０２２付近にある第２の開口１３０８５と、を備える。多くの実施形態では、テンショナ１３０６７が開口１３０８５内に収容されると、テンショナ１３０６７は、ソール１３０３０の外面１３０７４を越えて延びない。
【０１２９】
調整可能な重み付けシステム１３０６６のケーブル１３０６９は、テンショナ１３０６７によって受け入れられ、凹部１３０８０内に配置されるように構成される。ケーブル１３０６９は、締結具１３０６７Ａおよびワッシャ１３０６７Ｂのノッチ１３０６８を介してテンショナ１３０６７に結合されてよく、ワッシャ１３０６７Ｂが回転することで、ケーブル１３０６９が締結具１３０６７Ａ内に固定される。ケーブル１３０６９の端部の幅は、ノッチ１３０６８の幅よりも大きいので、ケーブル１３０６９に張力が加えられたときに、ケーブル１３０６９が締結具１３０６７Ａから外れることを防止できる。いくつかの実施形態では、調整可能な重み付けシステム１３０６６は、１つのテンショナ１３０６７を備えており、ケーブル１３０６９の一端部は、テンショナ１３０６７に結合されるように構成され、ケーブル１３０６９の他端部は、テンショナ１３０６７に対して反対側のクラブヘッド１３０１０の端部に取り付けられる／固定されるように構成される。他の実施形態では、調整可能な重み付けシステムは、２つのテンショナ１３０６７を備えており、ケーブル１３０６９の一端部は、第１のテンショナ１３０６７に結合するように構成されてよく、ケーブル１３０６９の他端部は、第２のテンショナ１３０６７に結合するように構成されてよい。例えば、図１１および図１２に示すように、ケーブル１３０６９の一端部は、ヒール端１３０２２付近で第１のテンショナ１３０６７に結合されてよく、ケーブル１３０６９の他端部は、トウ端１３０１８付近で第２のテンショナ１３０６７に結合されてよい。
【０１３０】
ケーブル１３０６９は、金属材料（例えば、スチールワイヤロープ、アルミニウムワイヤロープ、銅ワイヤロープ、タングステンワイヤロープ、ニッケルワイヤロープ、銀ワイヤロープ、または任意の他の金属ワイヤロープ）、または繊維、ポリマー、プラスチック、もしくは複合タイプのロープなどの非金属材料であってよい。例えば、ケーブル１３０６９は、ベーリングツイン（ｂａｌｉｎｇ  ｔｗｉｎｅ）、パラシュートコード材料、ナイロン、ケブラー（Ｋｅｖｌａｒ）、ポリマーツイード、ポリマーコーティングされたスチールワイヤ、ポリマーコーティングされた任意の金属ワイヤ、高弾性ポリエチレン繊維、ポリカーボネート、ポリオキシメチレン、および／またはポリアミドを有するナイロンを含んでよい。
【０１３１】
テンショナ１３０６７は、ソール１３０３０の開口１３０８５内に受け入れられると、ケーブル１３０６９の張力を調整するために回転されてよい（すなわち、ねじられてよい）。テンショナ１３０６７のノッチ１３０６８によって、テンショナ１３０６７が回転しても、ケーブル１３０６９は静止したままであり、テンショナ１３０６７と共に回転しないように、ケーブル１３０６９をテンショナ１３０６７に結合することができる。テンショナ１３０６７のワッシャ１３０６７Ｂは、開口１３０８５内でストッパとして作用し、テンショナ１３０６７の締結具１３０６７Ａが、スイングおよび／またはインパクト中に開口１３０８５内で移動するのを防止する。テンショナ１３０６７が時計回りに回転されると、テンショナ１３０６７は、開口１３０８５の奥へより深く後退し、ケーブルが緩められる。ケーブル１３０６９を緩めた状態では、ウェイト１３０８２を、凹部１３０８０内のフィーチャ１３０７０から持ち上げ、別のフィーチャ１３０７０に移動することができる（または、貫通孔１３０７１を有するウェイト１３０８２をケーブル１３０６９に沿って摺動することができる）。さらに、ケーブル１３０６９が緩められている状態では、溝（図示省略）を備える追加のウェイト１３０８２を、フィーチャ部１３０７０上およびケーブル１３０６９の下に配置して、重量を増加させることができる。ウェイト１３０８２の配置を変えることで、クラブヘッド１３０１０のＣＧは再構成される。例えば、ウェイト１３０８２は、トウ端部１３０１８付近の第１のフィーチャ１３０７０Ａからヒール端部１３０２２付近の第２のフィーチャ１３０７０Ｅに配置変えされてよく、ＣＧがヒール端部１３０２２に向けて移動することにより、ボールをスライスおよび／またはドローする傾向があるプレーヤのボール軌道を修正する一助となる。他の実施形態では、ケーブル１３０６９は、テンショナ１３０６７以外の他の手段によって緩められてもよい。
【０１３２】
テンショナ１３０６７は、ケーブル１３０６９の張力を強めるために反時計回りに回転されてよく（すなわち、ねじられてよく）、ワッシャ１３０６７Ｂは、テンショナ１３０６７の締結具１３０６７Ａが開口１３０８５内で移動することを防止する。テンショナ１３０６７が反時計回りに回転されると、開口１３０８５内に配置されたテンショナ１３０６７は、ソール１３０３０の外面１３０７４に向かって外向きに延び、外面１３０７４と面一となり、ケーブル１３０６９が最大張力に到達したことを示す。図１２に示すように、ケーブル１３０６９が締め付けられ、ウェイト１３０８２を押圧する（すなわち、貫通孔１３０７１または溝を押圧する）と、凹部１３０８０のフィーチャ１３０７０に対して力が生じ、ウェイト１３０８２が固定される。ウェイト１３０８２がフィーチャ１３０７０に当接すると、ウェイト１３０８２は、ソール１３０３０の外面１３０７４と面一になる。他の実施形態では、ウェイト１３０８２がフィーチャ３２７０に当接すると、ウェイト１３０８２は、ソール１３０３０の外面１３０７４を越えて延びる場合があるが、アドレス時にクラブヘッド１３０１０の最下点を越えて延びることはない。その他の実施形態では、ウェイト１３０８２がフィーチャ１３０７０に当接すると、ウェイト１３０８２は、ソール１３０３０の外面１３０７４から凹み、ソール１３０３０の外面１３０７４まで延びない、または、ソール１３０３０の外面１３０７４を超えて延びない。他の実施形態では、ケーブル１３０６９は、テンショナ１３０６７以外の手段によって、後退させられてよい。
【０１３３】
テンショナ１３０６７（または他のケーブル調整手段）およびケーブル１３０６９を備える調整可能な重み付けシステム１３０６６を有する上述のクラブヘッド１３０１０は、ゴルフクラブの性能を最適化することができる。調整可能な重み付けシステムを有していないクラブヘッドと同様に、調整可能な重み付けシステム１３０６６によって、高い慣性モーメント（ＭＯＩ）を犠牲にすることなく、クラブヘッド１３０１０によるｘ軸（ヒール−トウ端）の周りに低い重心を有するクラブヘッドの重量調整が可能である。ｘ軸の周りでＣＧを移動させることにより、プレーヤは、ボール軌道のスライスまたはフックを補正することができる。
【０１３４】
ウェイトを収容するためのより複雑な構造（例えば、深いウェイトポート、複数のウェイトポート、レールシステム、ウェイトカバー／キャップ）を有するクラブヘッドと比較して、テンショナ１３０６７およびケーブル１３０６９を有する調整可能な重み付けシステム１３０６６を有するクラブヘッド１３０１０は、製造の容易さという点でさらに有用性を有する。クラブヘッド本体１３０１４に結合されたウェイト１３０８２は、ケーブル１３０６９の張力によって固定されているため、クラブヘッド１３０１０のフィーチャ１３０７０上のウェイト１３０８２に力がかかる。張力によって生じる力により、ウェイト１３０８２を固定するための複雑な内部／外部形状を有するウェイトハウジング構造を有するようにクラブヘッド１３０１０を製造する必要性をなくすことができる。したがって、複雑なウェイトハウジング構造に関連する材料および質量を低減することができる。そして、低プロファイルの調整可能な重み付けシステムを使用することにより低減された質量は、強度および／またはＭＯＩを増大させるため、およびＣＧ位置を改善するために、クラブヘッドの他の場所に配置されてよい。ケーブル１３０６９の張力によって生じた力によって、ねじ締結具の必要性をさらになくすことができ、したがって、ウェイト１３０８２およびクラブヘッド１３０１０には、締結具を受け入れるためのねじ穴および受け入れ形状を製造する必要がない。締結具およびねじ穴がないことにより、製造コストが低減され、製造の容易さが向上する。
【０１３５】
さらに、調整可能な重み付けシステム１３０６６のケーブル１３０６９は、軽量で、強く、クラブヘッド１３０１０の凹部１３０８０の多数の異なるパターンに組み込むことができる。ウェイト１３０８２が、特定のウェイトハウジング構造に限定されないので、異なるパターンによって、ウェイト１３０８２をソール１３０３０の多数の異なる位置に配置することが可能である。様々なウェイトの位置により、ＣＧ配置を微調整することができ、個々のプレーヤに対するボールのスピンおよび軌道調整ができる。ケーブル１３０６９はさらに、ケーブルがクラブヘッド１３０１０の特定の位置を補強できるようなパターンで、戦略的に配置されてよい。ケーブル１３０６９の材料およびパターンはさらに、サウンドダンパーとして作用し、インパクト中にクラブヘッド１３０１０が受ける振動を吸収してよく、それによって、試合中の望ましくない音および望ましくない応力を低減することができる。
【０１３６】
ゴルフクラブヘッド１３０１０の調整可能な重み付けシステム１３０６６は、調整可能な重み付けシステムを有さないクラブヘッドと比較して、クラブヘッドの慣性モーメントの大幅な低減、および低後方のクラブヘッドの重心の位置を維持または防止する。ゴルフクラブヘッド１３０１０の調整可能な重み付けシステム１３０６６は、重み付けシステムが低プロファイルであること、および１つまたは複数のウェイトが周縁に位置することに起因して、クラブヘッドの高い慣性モーメント、および低後方のクラブヘッドのＣＧ位置を維持する。調整可能な重み付けシステム１３０６６を有するクラブヘッド１３０１０は、上述のクラブヘッド１００と同様または同一のパラメータおよび測定値を有してよい。
【０１３７】
いくつかの実施形態では、本明細書に記載される他の調節可能なウェイト（例えば、ウェイト１１０８２、６８８２、１２０８２、および／または１３０８２）の１つ以上は、約１．０から２．６インチ（例えば、約１．０インチ、約１．２インチ、約１．４インチ、約１．６インチ、約１．８インチ、約２．０インチ、約２．２インチ、約２．４インチ、または約２．６インチ）の範囲で、対応するクラブヘッドの重心（ＣＧ）から最小距離に配置されてよい。いくつかの実施形態では、本明細書に記載される他の調節可能なウェイト（例えば、ウェイト１１０８２、６８８２、１２０８２、および／または１３０８２）のうちの１つ以上はまた、上面または側面から見たときに、対応するクラブヘッドの周縁から内側に約０．４５０インチから約０．５５０インチの最大距離内に配置されてよい（例えば、周縁からの最大距離は、約０．４５０インチ、約０．４６０インチ、約０．４７０インチ、約０．４８０インチ、約０．４９０インチ、約０．５００インチ、約０．５１０インチ、約０．５２０インチ、約０．５３０インチ、約０．５４０インチ、または約０．５５０インチであってよい）。他の実施形態は、異なる値および範囲を含む。
【０１３８】
いくつかの実施形態では、本明細書に記載される１つまたは複数のウェイト（例えば、１１０８２、６８８２、１２０８２、および／または１３０８２）は、少なくとも部分的に、高密度金属、金属合金、または任意の他の材料（例えば、高密度金属ビーズまたは粉末を有するプラスチックまたは複合材料）を備えてよい。いくつかの実施形態では、ウェイト１１０８２、６８８２、１２０８２、および／または１３０８２は、少なくとも部分的に、鋼、タングステン、アルミニウム、チタン、バナジウム、クロム、コバルト、ニッケル、他の金属、金属合金、またはこれらの任意の組合せを、備えてよい。
【０１３９】
多くの実施形態では、ケーブル１３０６９は、０．０２０から０．１２５インチの厚さを備えてよい。例えば、いくつかの実施形態では、ケーブル１３０６９の厚さは、０．０２１から０．０４１インチ、０．０３７から０．０５７インチ、０．０５３から０．０７３インチ、０．０６８から０．０８８インチ、０．０８４から０．１０４インチ、０．０９９から０．１１９インチ、または０．１１５から０．１３５インチであってよい。
【０１４０】
いくつかの実施形態では、ケーブルは、１５００ニュートン（Ｎ）までの引張荷重に耐えることができる。例えば、多くの実施形態では、ケーブルは、２００Ｎから１５００Ｎの引張荷重に耐えることができる。例えば、いくつかの実施形態では、ケーブルは、２００Ｎまで、３００Ｎまで、４００Ｎまで、５００Ｎまで、６００Ｎまで、７００Ｎまで、８００Ｎまで、９００Ｎまで、１０００Ｎまで、１１００Ｎまで、１２００Ｎまで、１３００Ｎまで、１４００Ｎまで、または１５００Ｎまでの引張荷重に耐えることができる。他の実施形態は、異なる範囲および値を含んでよい。
【０１４１】
いくつかの実施形態では、本明細書に記載のクラブヘッドのうちの１つまたは複数は、２つ以上のテンショナを含んでもよい。例えば、いくつかの実施形態では、クラブヘッド１３０１０は、各々が１つまたは複数のケーブルに連結される２つ以上のテンショナを（例えば、クラブヘッドの単一の凹部または別個の凹部に沿って）含んでもよい。いくつかの実施形態では、１つのテンショナが、ケーブルの第１のセットに張力を加えてクラブヘッドに対して１つまたは複数のウェイトを保持し、別のテンショナが、ケーブルの第２のセットに張力を加えてクラブヘッドに対して１つまたは複数のウェイトを保持する。
【０１４２】
本明細書に記載の実施形態のいくつかは、単一のケーブルを含むが、他の実施形態は、複数のケーブルを含み、本明細書に記載の任意の実施形態は、１つまたは複数のテンショナに対応する単一または複数のケーブルを含んでもよい。
【０１４３】
本明細書に記載の実施形態のいくつかは、ケーブルを案内し、および／または１つまたは複数のウェイトを配置するための１つまたは複数のフィーチャを提供する単一のチャネルまたは凹部を含み、上述の他の実施形態は、１つまたは複数のケーブルを案内し、および／または１つまたは複数のウェイトを配置するためのフィーチャを提供する異なるチャネルのネットワークを含むが、本明細書に記載する任意の実施形態は、単一のチャネルまたはチャネルのネットワークを含んでもよい。さらに、特定のチャネルのネットワークが図示されているが、本明細書に記載されているすべてのクラブヘッドは、任意のチャネル配置、パターン、またはサイズを有してもよい。
【０１４４】
ウェイトの様々な溝（図示省略）が上述されているが、他の実施形態は、ケーブルを収容するため、様々な数、大きさ、および形状の溝を含む。例えば、いくつかの実施形態では、ウェイト１３０８２のうちの１つまたは複数は、Ｃ字形の輪郭（Ｕ字形またはＶ字形の輪郭とは対照的に）を有する溝またはトラックを含んでおり、その結果、１つまたは複数のケーブルが、溝内に「スナップ」し、概して溝の所定の位置に保持されると共に、ウェイトがケーブルに沿って摺動することも可能である。いくつかの実施形態では、１つまたは複数のケーブル用のチャネルのうちの１つまたは複数は、Ｃ字形（または他の形状）の輪郭またはトラック（Ｕ字形またはＶ字形の輪郭とは対照的に）を有し、その結果、１つまたは複数のケーブルが、チャネルに「スナップ」し、概してチャネル内の所定の位置に保持されると共に、ケーブルがチャネル内で移動することも可能である。いくつかの実施形態では、チャネルは、例えばチャネルがクラブヘッドボディに沿って湾曲するときにケーブルを保持または拘束するトラックまたは他の輪郭を含んでおり、ケーブルに張力がかかっている間でもケーブルがチャネルから出ない。
【０１４５】
いくつかの実施形態では、本明細書に記載される１つまたは複数のウェイト（例えば、１１０８２、６８８２、１２０８２、および／または１３０８２）は、磁力によってクラブヘッド１１０１０、１２０１０、および１３０１０に引き付けられ、その結果１つまたは複数のウェイトが、少なくとも部分的に磁力によってクラブヘッドに保持されてよい。例えば、いくつかの実施形態では、１つまたは複数のフィーチャ１１０７０、６８７０、および１２０７０は、少なくとも部分的に金属材料から構成される突出体またはノッチであり、１つまたは複数のウェイト１１０８２、６８８２、１２０８２、および／または１３０８２は、少なくとも部分的に磁性材料から構成される。１つまたは複数のウェイトは、少なくとも部分的に１つまたは複数の磁石と１つまたは複数のフィーチャとの間の磁気引力によって、および本明細書で説明する他の構造（例えば、ねじ山付き突出ポスト、リブなど）のうちの１つまたは複数によっても、所定の位置に保持されてよい。いくつかの実施形態では、ウェイトは、突出体上またはノッチ中の所定の位置にスナップ嵌合してよく、少なくとも部分的に摩擦力によって、および磁力によってもクラブヘッドに対して保持される。いくつかの実施形態では、１つまたは複数のウェイトは、磁力のみによって所定の位置に保持されてよい。さらに他の実施形態では、ウェイト１１０８２、６８８２、１２０８２、および／または１３０８２の１つまたは複数は、少なくとも部分的に金属材料から構成され、フィーチャ１１０７０、６８７０、１２０７０、および１３０７０のうちの１つ以上は、少なくとも部分的に磁性材料から構成される。
【０１４６】
いくつかの実施形態では、本明細書に記載されたウェイトの１つまたは複数（例えば、１３０８２）は、１つまたは複数のケーブルにおける張力のみでクラブヘッド１３０１０に押し付けられ、保持される。したがって、少なくともいくつかの実施形態では、クラブヘッドは、単一のウェイトを収容するような大きさおよび形状を有する離間したノッチまたは突出部または他のフィーチャを含まない。むしろ、クラブヘッドは、より大きな表面（例えば、凹面）と、テンショナと、１つまたは複数のウェイトに結合される（例えば、押し付けられる）１つまたは複数のケーブルと、を含む。テンショナの作動によって１つまたは複数のケーブルにかかる張力があれば、クラブヘッドに対して１つまたは複数のウェイトを所望の位置または配置に保持するのに十分である。テンショナにおいて張力が解放されると、１つまたは複数のウェイトは、表面に沿って異なる位置に移動されてもよい。
【０１４７】
いくつかの実施形態では、本明細書で説明される１つまたは複数のウェイト（例えば、１１０８２、６８８２、１２０８２、および／または１３０８２）は、ウェイトの一部分に沿う１つまたは複数のレール（例えば、Ｔ字形レールなど）を含む。さらに、レールを受け入れるような大きさおよび形状を有する１つまたは複数のチャネル（例えば、チャネルのネットワーク）が、クラブヘッドに形成されてよく、その結果、１つまたは複数のウェイトが、クラブヘッドに沿ってある位置から別の位置にチャネルに沿って移動してよい。いくつかの実施形態では、クラブヘッドに沿って（例えばチャネルに沿って）１つまたは複数のウェイトを種々の位置に固定しやすくするために、少なくとも１つのテンショナおよびケーブル、および／または少なくとも１つの磁石が、提供されてもよい。
【０１４８】
いくつかの実施形態では、本明細書に記載されるウェイト（例えば、１１０８２、６８８２、１２０８２、および／または１３０８２）の１つまたは複数は、クラブヘッドボディから突起を受け入れるためのポートまたは穴を含んでよく、または、ウェイトは、クラブヘッドボディの穴またはポート（例えば、クラブヘッドボディの凹領域）に受け入れられる突起またはねじを含む。
【０１４９】
加えて、上述の実施形態のいくつかは、クラブヘッドボディのソールに凹領域および／または凹面を有するという文脈で説明されているが、いくつかの実施形態では、クラブヘッドボディはまた、クラブヘッドのクラウンまたはトップに沿って、凹面を含む凹領域を含んでもよい。したがって、概してクラブヘッドのソールに主に配置されるものとして上記で説明されているが、いくつかの実施形態では、調整可能な重み付けシステム１１０６６、６８６６、１２０６６、および１３０６６は、代わりに、クラブヘッドのクラウン、スカート、ヒール、トウ、またはトウ上に主に配置されてもよい。
【０１５０】
様々な突起が、ウェイトをクラブヘッドに結合するために使用されるものとして本明細書で図示され、説明されているが、突起の特定の形状および大きさは、限定されるものではない。したがって、円筒形、長方形、正方形、螺旋形、台形、ピラミッド形などを含む、突起の様々な形状（例えば、テーパ付き突起、または様々なサイズおよび形状の突起）が使用されてよい。突起および／または対応する開口は、互いに嵌合するように適合されていてもよい。突起が、クラブヘッドから離れて延びるウイングまたはタブであってもよく、またはポストであってもよい。様々な他のタイプの突起もまた使用されてよい。
【０１５１】
様々なカバー、ソールプレート、幾何学的パターン、テンショナ、ケーブル、ガイド、クリップ、細長いチャネル、追加のチャネル、ねじ開口、および他のフィーチャが、特定の１つまたは複数の実施形態に関連して上記で説明されているが、さらに他の実施形態では、これらのフィーチャの１つまたは複数が、ゴルフクラブヘッド上で、異なる実施形態または本明細書で説明する他の１つまたは複数のフィーチャと組み合わされてもよい。
【０１５２】
図示されていないが、いくつかの実施形態では、本明細書に記載されるクラブヘッドの１つまたは複数はまた、追加の重み付けのためにポリマー接着剤または他の材料で充填することができる追加の開口を含んでよい。
【０１５３】
いくつかの実施形態では、工具を使用して、本明細書に記載のウェイトのうちの１つまたは複数が締め付けられ、緩められ、および／または取り外されてよい。例えば、いくつかの実施形態では、１つまたは複数のウェイトは、工具（例えば、トルクレンチ）の一部分と係合するのに十分な大きさを有する、特別に設計またはカスタマイズされた穴、または特別に設計されたソケットを含んでもよく、これにより、トルクレンチとウェイトとの係合が容易になる。穴またはソケットは、星形、三角形、正方形、スロット、Ｐｈｉｌｌｉｐｓ（登録商標）、Ｔｏｒｘ（登録商標）、ＰＯＳＩＤＲＩＶ（登録商標）、ＳＵＰＡＤＲＩＶＥ（登録商標）、五角形、六角形、または任意の他の適切な多角形もしくは他のキー形状などの任意の適切な形状であってよい。
【０１５４】
（例１  ドライバー用の調整可能な重み付けシステム）
図９および１０に示されるゴルフクラブヘッド１２０１０の一例によれば、クラブヘッド１２０１０は、４５７立方センチメートル（ｃｃ）の体積を備える。例示的なクラブヘッド１２０１０は、リア周縁１０１３６に沿って後縁部１２０７２に配置されるチャネルを備える凹部１２０１３を含む。凹部１２０１３は、ねじ切りされた開口を備える３つの取り付け位置（またはフィーチャ）を有する底壁（または第３の表面）１２０７５を備える。取り付け位置は、トウ端部１２０１８付近の第１の取り付け位置（またはフィーチャ）１２０７０Ａ、ヒール端部１２０２２付近の第２の取り付け位置（またはフィーチャ）１２０７０Ｃ、および、トウ端部１２０１８とヒール端部１２０２２との間の第３の取り付け位置（またはフィーチャ）１２０７０Ｂを含む。
【０１５５】
例示的なクラブヘッド１２０１０の調整可能な重み付けシステム１２０６６は、１８グラムの質量を有する第１のウェイト１２０８２をさらに備える。第１のウェイト１２０８２は、０．３３インチの高さ１０１５２と、１．１８インチの幅１０１５４と、０．２９インチの深さを有する。第１のウェイト１２０８２は、クラブヘッド１２０１０上の離散した取り付け位置を画定する複数の開口に対応する開口を備える。第１のウェイト１２０８２の開口およびクラブヘッド１２０１０の開口を通って配置される締結具を使用して、第１のウェイト１２０８２は、離散した取り付け位置に固定される。締結具は、本体と同じ材料または本体の密度よりも低い密度を有する材料を含むため、クラブヘッドの重み付けにあまり寄与しない。
【０１５６】
第１のウェイト１２０８２は、トウ付近の第１の取り付け位置、ヒール付近の第２の取り付け位置、またはトウとヒールとの間の第３の取り付け位置に配置可能である。以下の表１を参照すると、第１のウェイトが第１、第２、または第３の取り付け位置に配置された場合、第１のウェイトの重心１０１３４は、クラブヘッド６８１０のリア周縁１０１３６から０．１９インチから０．２２インチの距離１０１４２に配置される。さらに、第１のウェイトが第１、第２、または第３の取り付け位置に配置された場合、第１のウェイトの重心１０１３４は、打撃フェース３８の幾何学的中心１４０から３．２６インチから４．４１インチの距離１０１３８に配置される。
【０１５７】
さらに以下の表１を参照すると、クラブヘッド６８１０は、１．５９インチから１．７１インチのヘッドＣＧ深さ１０１３０と、ヘッド深さ平面１０１２０の上方０．０８８インチから０．１０８インチのヘッドＣＧ高さ１０１３２と、を含む。例示的なクラブヘッド６８１０はさらに、３，０９０〜３，７７０ｇ・ｃｍ２のｘ軸周りの慣性モーメントＩｘｘと、４，９３６〜５，３８３ｇ・ｃｍ２のｙ軸周りの慣性モーメントＩｙｙと、８，８１５〜１０，３５９ｇ・ｃｍ２のホーゼル軸周りの慣性モーメントＩｈｈと、を含む。クラブヘッドＣＧを中心とする例示的なクラブヘッド６７６６の結合慣性モーメント（すなわち、ｘ軸の周りの慣性モーメントとｙ軸の周りの慣性モーメントとの合計）は、８，０２３〜９，１５３ｇ・ｃｍ２である。例示的なクラブヘッド６７６６のクラブヘッドＣＧおよびホーゼル軸の周りの結合慣性モーメント（すなわち、ｘ軸の周りの慣性モーメント、ｙ軸の周りの慣性モーメント、およびホーゼル軸の周りの慣性モーメントの合計）は、１６，８４１〜１９，２３７ｇ・ｃｍ２である。
【０１５８】
さらに以下の表１を参照すると、調整可能な重み付けシステム６７６６を有する例示的なクラブヘッドは、第１のウェイトの質量に対するクラブヘッドＣＧの深さについての深さ質量比を有し、深さ質量比は、０．０９９インチから０．１０６インチである。さらに、調整可能な重み付けシステム６７６６を有する例示的なクラブヘッドは、第１のウェイトの質量に対するヘッドＣＧの周りのクラブヘッドの結合慣性モーメントについての第１の慣性質量比を有し、慣性質量比は、４４６ｃｍ２から５０８ｃｍ２である。さらに、調整可能な重み付けシステム６７６６を有する例示的なクラブヘッドは、第１のウェイトの質量に対するヘッドＣＧの最大移動量についてのヘッドＣＧ重量比を有し、ヘッドＣＧ重量比は、０．０１５インチ／グラムである。したがって、例示的なクラブヘッド６８１０の調整可能な重み付けシステム６７６６は、かなりの重量構造を伴う大きくて重いウェイトを使用することなく、ユーザがヘッドＣＧ深さ、慣性モーメント、およびヘッドＣＧ移動量を最大にするとこと可能にする。
【０１５９】
【表１】
2020531089.tif 000008
【０１６０】
第１、第２、および第３の離散した取付け位置の間でウェイトを移動させることにより、クラブヘッドの重心の最大移動量は、０．２７インチとなる。例示的なクラブヘッド６８１０の重心の最大移動量は、１２．４ヤードまでの全体的な軌道変化をもたらす（すなわち、第１のウェイトを第１の取付け位置から第２の取付け位置に、または第２の取付け位置から第１の取付け位置に移動した場合）。したがって、ウェイトを第３の取り付け位置から第２の取り付け位置に移動させることにより、ゴルフボールの軌道を６．２ヤード変化させて、スライスを補正すること、またはドローを生成することができる。さらに、ウェイトを第３の取り付け位置から第１の取り付け位置に移動させることにより、ゴルフボールの軌道を６．２ヤード変化させて、フックを補正すること、またはフェードを発生することができる。
【０１６１】
（条項１）
ゴルフクラブヘッドであって、
トウ端部と、前記トウ端部の反対側に位置するヒール端部と、クラウンと、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
概して前記ゴルフクラブヘッドの前記周縁の輪郭に沿って弓形状を有する凹部であって、０．２５インチの最大深さを備える前記凹部と、
前記凹部に配置される複数の離散した取り付け位置と、
１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するように前記複数の離散した取付け位置の間で移動可能であるように構成されており、
前記１つまたは複数のウェイトは、前記ウェイトが少なくとも１つの前記離散した取り付け位置に結合された状態において、前記クラブヘッドの前記周縁の０．５０インチ以内に配置されており、
前記１つまたは複数のウェイトは、前記ウェイト各々の前記ウェイト重心が前記クラブヘッドの前記外部輪郭から０．１２５インチ未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【０１６２】
（条項２）
前記複数の離散した取り付け位置は、複数の突出体、複数の凹部、複数の開口、複数のノッチ、複数のタブ、複数の切り欠き領域、複数のリブ、複数の溝、および複数のフックからなる群から選択される、条項１に記載のゴルフクラブヘッド。
【０１６３】
（条項３）
前記複数の離散した取り付け位置は、締結具を受け入れるように構成される複数のねじ切り開口を備えている、条項２に記載のゴルフクラブヘッド。
【０１６４】
（条項４）
前記１つまたは複数のウェイトは、１０グラムから２０グラムの第１のウェイトを備える、条項１に記載のゴルフクラブヘッド。
【０１６５】
（条項５）
前記調整可能な重み付けシステムは、
前記後端部および前記トウ端部に向かって配置されている第１の取り付け位置と、
前記後端部および前記ヒール端部に向かって配置されている第２の取り付け位置と、
中央におよび前記後端部に向かって配置されている第３の取り付け位置と、をさらに備えている、条項１に記載のゴルフクラブヘッド。
【０１６６】
（条項６）
前記第１のウェイトを前記第１の取り付け位置から前記第２の取り付け位置に移動させることにより、前記クラブヘッドの前記重心が少なくとも０．１０インチの距離だけ移動する、条項５に記載のゴルフクラブヘッド。
【０１６７】
（条項７）
前記第１のウェイトが、前記第１の取り付け位置、前記第２の取り付け位置、および前記第３の取り付け位置のいずれかに配置されている状態において、前記クラブヘッドの前記重心は、１．６５インチより大きい、条項６に記載のゴルフクラブヘッド。
【０１６８】
（条項８）
前記第１のウェイトの質量に対する前記結合慣性モーメントの比として定義される深さ質量比をさらに備えており、
前記深さ質量比は、０．０６０インチ／グラムより大きい、条項１に記載のゴルフクラブヘッド。
【０１６９】
（条項９）
前記凹部は、前記クラブヘッドの前記トウ端部付近から前記ヒール端部付近の方向に延びるチャネルを備えている、条項１に記載のゴルフクラブヘッド。
【０１７０】
（条項１０）
前記チャネルの深さは、前記クラブヘッドの前記トウ端部付近から前記ヒール端部付近にかけて変化する、条項９に記載のゴルフクラブヘッド。
【０１７１】
（条項１１）
前記チャネルの幅は、前記クラブヘッドの前記トウ端部付近から前記ヒール端部付近にかけて変化する、条項９に記載のゴルフクラブヘッド。
【０１７２】
（条項１２）
ゴルフクラブヘッドであって、
トウ端部と、前記トウ端部の反対側に位置するヒール端部と、クラウン、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
Ｖ形状に延びており、０．２５インチの最大深さを備える凹部と、
前記凹部に配置される複数の離散した取り付け位置と、
１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するように前記複数の離散した取付け位置の間で移動可能であるように構成されており、
前記１つまたは複数のウェイトは、前記ウェイトが少なくとも１つの前記離散した取り付け位置に結合されている状態において、前記クラブヘッドの前記周縁の０．５０インチ以内に配置されており、
前記１つまたは複数のウェイトは、前記ウェイト各々の前記ウェイト重心が前記クラブヘッドの前記外部輪郭から０．１２５インチ未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【０１７３】
（条項１３）
前記複数の離散した取り付け位置は、複数の突出体、複数の凹部、複数の開口、複数のノッチ、複数のタブ、複数の切り欠き領域、複数のリブ、複数の溝、および複数のフックからなる群から選択される、条項１２に記載のゴルフクラブヘッド。
【０１７４】
（条項１４）
前記複数の離散した取り付け位置は、締結具を受け入れるように構成される複数のねじ切り開口を備えている、条項１３に記載のゴルフクラブヘッド。
【０１７５】
（条項１５）
前記１つまたは複数のウェイトは、１０グラムから２０グラムの第１のウェイトを備える、条項１２に記載のゴルフクラブヘッド。
【０１７６】
（条項１６）
前記調整可能な重み付けシステムは、
前記後端部付近に配置されている第１の取り付け位置と、
前記ソールの中心に配置されている第２の取り付け位置と、
前記ヒール端部付近に配置されている第３の取り付け位置と、をさらに備えている、条項１２に記載のゴルフクラブヘッド。
【０１７７】
（条項１７）
前記第１のウェイトを前記第１の取り付け位置から前記第２の取り付け位置に移動させることにより、前記クラブヘッドの前記重心が少なくとも０．１０インチの距離だけ移動する、条項１６に記載のゴルフクラブヘッド。
【０１７８】
（条項１８）
前記第１のウェイトが前記第１の取り付け位置、前記第２の取り付け位置、および前記第３の取り付け位置のいずれかに配置されている状態において、前記クラブヘッドの前記重心は、１．６５インチより大きい、条項１７に記載のゴルフクラブヘッド。
【０１７９】
（条項１９）
前記第１のウェイトの質量に対する前記結合慣性モーメントの比として定義される深さ質量比をさらに備えており、
前記深さ質量比は、０．０６０インチ／グラムより大きい、条項１２に記載のゴルフクラブヘッド。
【０１８０】
（条項２０）
前記凹部は、前記クラブヘッドの前記トウ端部付近から前記ヒール端部付近の方向に延びるチャネルを備えている、条項１２に記載のゴルフクラブヘッド。
【０１８１】
（条項２１）
前記チャネルの深さは、前記クラブヘッドの前記トウ端部付近から前記ヒール端部付近にかけて変化する、条項２０に記載のゴルフクラブヘッド。
【０１８２】
（条項２２）
前記チャネルの幅は、前記クラブヘッドの前記トウ端部付近から前記ヒール端部付近にかけて変化する、条項２０に記載のゴルフクラブヘッド。
【０１８３】
（条項２３）
ゴルフクラブヘッドであって、
トウ端部と、前記トウ端部の反対側に位置するヒール端部と、クラウンと、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
長方形形状を有しており、前記トウ端部から前記ヒール端部に延びている凹部であって、０．２５インチの最大深さを備える凹部と、
前記凹部に配置される複数の離散した取り付け位置と、
ケーブルと、
前記ソールの開口内に配置されており、前記ケーブルの張力を増加または減少させるテンショナと、
前記ケーブルに結合される１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するように前記複数の離散した取付け位置の間で移動可能であるように構成されており、
前記１つまたは複数のウェイトは、前記ウェイト各々の前記ウェイト重心が前記クラブヘッドの前記外部輪郭から０．１２５インチ未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【０１８４】
（条項２４）
前記トウ端部付近に配置されている第１の取り付け位置と、
前記ヒール端部付近に配置されている第２の取り付け位置と、
前記第１および前記第２の取り付け位置との間に配置されている第３の取り付け位置と、をさらに備えている、条項２３に記載のゴルフクラブヘッド。
【０１８５】
（条項２５）
前記テンショナは、前記ケーブルを受け入れるノッチを有する締結具を備えている、条項２３に記載のゴルフクラブヘッド。
【０１８６】
（条項２６）
前記ケーブルは、スチールワイヤロープ、アルミニウムワイヤロープ、銅ワイヤロープ、タングステンワイヤロープ、ニッケルワイヤロープ、ポリマーコーティングされたスチールワイヤ、および銀ワイヤロープからなる群から選択される金属材料を備えている、条項２３に記載のゴルフクラブヘッド。
【０１８７】
（条項２７）
前記ケーブルは、ベーリングツイン（ｂａｌｉｎｇ  ｔｗｉｎｅ）、パラシュートコード材料、ナイロン、ケブラー、およびポリマーツイードからなる群から選択される非金属材料を備えている、条項２３に記載のゴルフクラブヘッド。
【０１８８】
（条項２８）
前記１つまたは複数のウェイトは、前記ケーブルを収容するように構成される貫通孔を備えている、条項２３に記載のゴルフクラブヘッド。
【０１８９】
（条項２９）
前記テンショナは、前記ケーブルが最大張力に達した状態において、前記ソールの外面と面一である、請求項２３に記載のゴルフクラブヘッド。
【０１９０】
１つまたは複数の特許請求されている要素の交換は、再構築を構成し、修理を構成しない。さらに、利益、他の利点、および、課題に対する解決策が、特定の実施形態に関して説明されてきたが、これらの利益、利点、課題に対する解決策、および、任意の利益、利点、または解決策をもたらし得るまたはより顕著にする任意の要素は、そのような利益、利点、解決策、または要素が請求項の中に明示的に述べられていない限り、請求項のいずれかまたはすべてに重要な、必要な、または必須の特徴または要素として解釈されるべきではない。
【０１９１】
ゴルフに関するルールは、変更される可能性があるので（例えば、全米ゴルフ協会（ＵＳＧＡ）やロイヤル・アンド・エンシェント・ゴルフ・クラブ・オブ・セント・アンドリュース（Ｒ＆Ａ）などのような、ゴルフ標準化組織および／または運営団体によって、新しい規制が採用され、古いルールが排除もしくは修正される可能性がある）、本明細書で説明されている装置、方法、および製品に関するゴルフ用具は、ある特定の時代におけるゴルフのルールに適合している場合もあるし、適合していない場合もある。したがって、本明細書で説明されている装置、方法、および製品に関するゴルフ用具は、適合または非適合ゴルフ用具として、宣伝され、販売の申し出がされ、および／または、販売される可能性がある。本明細書で説明されている装置、方法、および製品は、この点において限定されていない。
【０１９２】
上記の例は、ウッドタイプのゴルフクラブに関連して説明されている場合があるが、本明細書で説明されている装置、方法、および製品は、ドライバー、フェアウェイウッド、ハイブリッド、クロスオーバー、または、任意の中空ボディタイプのゴルフクラブを含む様々なタイプのゴルフクラブにも適用可能であってもよい。あるいは、本明細書で説明されている装置、方法、および製品は、ホッケースティック、テニスラケット、釣り竿、スキーのストックなどのような、他のタイプのスポーツ用具にも適用可能であってもよい。
【０１９３】
そのうえ、本明細書で開示されている実施形態および限定事項は、実施形態および／または限定事項が、（１）特許請求の範囲において明示的に特許請求されておらず、（２）均等論の下で、特許請求の範囲における明示的な要素および／もしくは限定事項の均等物であるか、または均等物である可能性がある場合、公有の原則の下で公に供されることはない。
【０１９４】
特定の好ましい実施形態を参照して本発明を詳細に説明したが、説明した本発明の１つまたは複数の独立した態様の範囲および趣旨内で変形および改良が存在する。
【図１】
2020531089.tif 000009
【図２】
2020531089.tif 000010
【図３】
2020531089.tif 000011
【図４】
2020531089.tif 000012
【図５】
2020531089.tif 000013
【図６】
2020531089.tif 000014
【図７】
2020531089.tif 000015
【図８】
2020531089.tif 000016
【図９】
2020531089.tif 000017
【図１０】
2020531089.tif 000018
【図１１】
2020531089.tif 000019
【図１２】
2020531089.tif 000020
【図１３】
2020531089.tif 000021
【図１４】
2020531089.tif 000022
【図１５】
2020531089.tif 000023
【図１６】
2020531089.tif 000024
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
トウ端部と、前記トウ端部の反対側に位置するヒール端部と、クラウンと、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
前記ゴルフクラブヘッドの前記周縁の輪郭に沿った弓形状を有する凹部であって、０．２５インチ（０．６３５センチメートル）の最大深さを備える前記凹部と、
前記凹部に配置される複数の離散した取り付け位置と、
１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するために前記複数の離散した取付け位置の間で移動可能であるように構成されており、
前記１つまたは複数のウェイトは、前記ウェイトが少なくとも１つの前記離散した取り付け位置に結合されている状態において、前記クラブヘッドの前記周縁の０．５０インチ（１．２７センチメートル）以内に配置されており、
前記１つまたは複数のウェイトは、前記ウェイト各々の前記ウェイト重心が前記クラブヘッドの外部輪郭から０．１２５インチ（０．３１８センチメートル）未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【請求項２】
前記複数の離散した取り付け位置は、複数の突出体、複数の凹部、複数の開口、複数のノッチ、複数のタブ、複数の切り欠き領域、複数のリブ、複数の溝、および複数のフックからなる群から選択される、請求項１に記載のゴルフクラブヘッド。
【請求項３】
前記複数の離散した取り付け位置は、締結具を受け入れるように構成される複数のねじ切り開口を備えている、請求項２に記載のゴルフクラブヘッド。
【請求項４】
前記１つまたは複数のウェイトは、１０グラムから２０グラムの第１のウェイトを備える、請求項１から３のいずれか一項に記載のゴルフクラブヘッド。
【請求項５】
前記調整可能な重み付けシステムは、
前記後端部および前記トウ端部に向かって配置されている第１の取り付け位置と、
前記後端部および前記ヒール端部に向かって配置されている第２の取り付け位置と、
中央におよび前記後端部に向かって配置されている第３の取り付け位置と、をさらに備えている、請求項１から４のいずれか一項に記載のゴルフクラブヘッド。
【請求項６】
前記第１のウェイトを前記第１の取り付け位置から前記第２の取り付け位置に移動させることにより、前記クラブヘッドの前記重心が少なくとも０．１０インチ（０．２５４センチメートル）の距離だけ移動する、請求項５に記載のゴルフクラブヘッド。
【請求項７】
前記第１のウェイトが、前記第１の取り付け位置、前記第２の取り付け位置、および前記第３の取り付け位置のいずれかに配置されている状態において、前記クラブヘッドの前記重心は、１．６５インチ（４．９１センチメートル）より大きい、請求項６に記載のゴルフクラブヘッド。
【請求項８】
前記第１のウェイトの質量に対する前記結合慣性モーメントの比として定義される深さ質量比をさらに備えており、
前記深さ質量比は、０．０６０インチ／グラム（０．１５２センチメートル／グラム）より大きい、請求項１から７のいずれか一項に記載のゴルフクラブヘッド。
【請求項９】
前記凹部は、前記クラブヘッドの前記トウ端部付近から前記ヒール端部付近の方向に延びるチャネルを備えている、請求項１から８のいずれか一項に記載のゴルフクラブヘッド。
【請求項１０】
前記チャネルの深さは、前記クラブヘッドの前記トウ端部付近から前記ヒール端部付近にかけて変化する、請求項９に記載のゴルフクラブヘッド。
【請求項１１】
前記チャネルの幅は、前記クラブヘッドの前記トウ端部付近から前記ヒール端部付近にかけて変化する、請求項９または１０に記載のゴルフクラブヘッド。
【請求項１２】
ゴルフクラブヘッドであって、
トウ端部と、前記トウ端部の反対側に位置するヒール端部と、クラウンと、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
Ｖ字形状に延びており、０．２５インチ（０．６３５センチメートル）の最大深さを備える凹部と、
前記凹部に配置される複数の離散した取り付け位置と、
１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するように前記複数の離散した取付け位置の間で移動可能であるように構成されており、
前記１つまたは複数のウェイトは、前記ウェイトが少なくとも１つの前記離散した取り付け位置に結合されている状態において、前記クラブヘッドの前記周縁の０．５０インチ（１．２７センチメートル）以内に配置されており、
前記１つまたは複数のウェイトは、前記ウェイト各々の前記ウェイト重心が前記クラブヘッドの外部輪郭から０．１２５インチ（０．３１８センチメートル）未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【請求項１３】
前記複数の離散した取り付け位置は、複数の突出体、複数の凹部、複数の開口、複数のノッチ、複数のタブ、複数の切り欠き領域、複数のリブ、複数の溝、および複数のフックからなる群から選択される、請求項１２に記載のゴルフクラブヘッド。
【請求項１４】
前記複数の離散した取り付け位置は、締結具を受け入れるように構成される複数のねじ切り開口を備えている、請求項１３に記載のゴルフクラブヘッド。
【請求項１５】
前記１つまたは複数のウェイトは、１０グラムから２０グラムの第１のウェイトを備える、請求項１２から１４のいずれか一項に記載のゴルフクラブヘッド。
【請求項１６】
前記調整可能な重み付けシステムは、
前記後端部付近に配置されている第１の取り付け位置と、
前記ソールの中心に配置されている第２の取り付け位置と、
前記ヒール端部付近に配置されている第３の取り付け位置と、をさらに備えている、請求項１２から１５のいずれか一項に記載のゴルフクラブヘッド。
【請求項１７】
前記第１のウェイトを前記第１の取り付け位置から前記第２の取り付け位置に移動させることにより、前記クラブヘッドの前記重心が少なくとも０．１０インチ（０．２５４センチメートル）の距離だけ移動する、請求項１６に記載のゴルフクラブヘッド。
【請求項１８】
前記第１のウェイトが前記第１の取り付け位置、前記第２の取り付け位置、および前記第３の取り付け位置のいずれかに配置された状態において、前記クラブヘッドの前記重心は、１．６５インチ（４．９１センチメートル）より大きい、請求項１７に記載のゴルフクラブヘッド。
【請求項１９】
前記第１のウェイトの質量に対する前記結合慣性モーメントの比として定義される深さ質量比をさらに備えており、
前記深さ質量比は、０．０６０インチ／グラム（０．１５２センチメートル／グラム）より大きい、請求項１２から１８のいずれか一項に記載のゴルフクラブヘッド。
【請求項２０】
前記凹部は、前記クラブヘッドの前記トウ端部付近から前記ヒール端部付近の方向に延びるチャネルを備えている、請求項１２から１９のいずれか一項に記載のゴルフクラブヘッド。
【請求項２１】
前記チャネルの深さは、前記クラブヘッドの前記トウ端部付近から前記ヒール端部付近にかけて変化する、請求項２０に記載のゴルフクラブヘッド。
【請求項２２】
前記チャネルの幅は、前記クラブヘッドの前記トウ端部付近から前記ヒール端部付近にかけて変化する、請求項２０または２１に記載のゴルフクラブヘッド。
【請求項２３】
ゴルフクラブヘッドであって、
トウ端部と、前記トウ端部の反対側に位置するヒール端部と、クラウンと、前記クラウンの反対側に位置するソールと、打撃フェースと、前記打撃フェースの反対側に位置する後端部と、前記ヒール端部付近から前記トウ端部付近に延びる前記クラウンと前記ソールとの間の接合部に位置する周縁と、を有するクラブヘッドボディと、
前記ソール、前記周縁、またはそれらの組み合わせに位置する調整可能な重み付けシステムと、を備えており、
前記調整可能な重み付けシステムは、
長方形形状を有しており、前記トウ端部から前記ヒール端部に延びている凹部であって、０．２５インチ（０．６３５センチメートル）の最大深さを備える凹部と、
前記凹部に配置される複数の離散した取り付け位置と、
ケーブルと、
前記ソールの開口内に配置されており、前記ケーブルの張力を増加または減少させるテンショナと、
前記ケーブルに結合される１つまたは複数のウェイトと、を備えており、
前記１つまたは複数のウェイトのそれぞれは、ウェイト重心を有しており、前記複数の離散した取り付け位置のうちの１つに結合されるように構成され、前記クラブヘッドの重心を移動するように前記複数の離散した取り付け位置の間で移動可能であるように構成されており、
前記１つまたは複数のウェイトは、前記ウェイト各々の前記ウェイト重心が前記クラブヘッドの外部輪郭から０．１２５インチ（０．３１８センチメートル）未満の距離だけ差し込まれるように配置されており、
クラウン−ソール慣性モーメントとヒール−トウ慣性モーメントとの合計として定義される結合慣性モーメントであって、前記クラブヘッドの前記重心の周りの前記クラブヘッドの前記結合慣性モーメントは、８，０００ｇ・ｃｍ２より大きい、ゴルフクラブヘッド。
【請求項２４】
前記トウ端部付近に配置されている第１の取り付け位置と、
前記ヒール端部付近に配置されている第２の取り付け位置と、
前記第１および前記第２の取り付け位置との間に配置されている第３の取り付け位置と、をさらに備えている、請求項２３に記載のゴルフクラブヘッド。
【請求項２５】
前記テンショナは、前記ケーブルを受け入れるノッチを有する締結具を備えている、請求項２３または２４に記載のゴルフクラブヘッド。
【請求項２６】
前記ケーブルは、スチールワイヤロープ、アルミニウムワイヤロープ、銅ワイヤロープ、タングステンワイヤロープ、ニッケルワイヤロープ、ポリマーコーティングされたスチールワイヤ、および銀ワイヤロープからなる群から選択される金属材料を備えている、請求項２３から２５のいずれか一項に記載のゴルフクラブヘッド。
【請求項２７】
前記ケーブルは、ベーリングツイン（ｂａｌｉｎｇ  ｔｗｉｎｅ）、パラシュートコード材料、ナイロン、ケブラー、およびポリマーツイードからなる群から選択される非金属材料を備えている、請求項２３から２６のいずれか一項に記載のゴルフクラブヘッド。
【請求項２８】
前記１つまたは複数のウェイトは、前記ケーブルを収容するように構成される貫通孔を備えている、請求項２３から２７のいずれか一項に記載のゴルフクラブヘッド。
【請求項２９】
前記テンショナは、前記ケーブルが最大張力に達した状態において、前記ソールの外面と面一である、請求項２３から２８のいずれか一項に記載のゴルフクラブヘッド。
【国際調査報告】
2020531089.tif 000025